(57)【要約】【課題】吸着素子（８１，８２）の調湿側通路（８５）で第１空気の水分を吸着するときの吸着熱を冷却側通路（８６）を流れる冷却用流体で吸熱するタイプの調湿装置において、冷却用流体が比較的高温の場合の冷却効果を高め、吸着量及び加湿量が少なくなるのを防止する。【解決手段】冷却用流体が比較的高温の場合、特に冷却用流体が第１空気よりも高温の場合に、該冷却用流体を冷却する冷却器（１０３）を設ける。【選択図】　図３
2004060954.tif 000002
【特許請求の範囲】
【請求項１】
第１空気からの水分の吸着と第２空気への水分の放出とが可能な調湿側通路（８５）と該調湿側通路（８５）における水分吸着時の吸着熱を冷却用流体に吸熱させる冷却側通路（８６）とを有する吸着素子（８１，８２）を備え、該吸着素子（８１，８２）で空気を調湿して室内へ供給する調湿装置であって、
冷却側通路（８６）へ流入する冷却用流体を冷却する冷却器（１０３，１０４，２１４，２２４，２５１，２５２）を備えていることを特徴とする調湿装置。
【請求項２】
第１空気からの水分の吸着と第２空気への水分の放出とが可能な調湿側通路（８５）と該調湿側通路（８５）における水分吸着時の吸着熱を冷却用流体に吸熱させる冷却側通路（８６）とを有する吸着素子（８１，８２）を備え、該吸着素子（８１，８２）で空気を調湿して室内へ供給する調湿装置であって、
冷却側通路（８６）へ流入する冷却用流体が調湿側通路（８５）を流れる第１空気よりも高温の場合に冷却用流体を冷却する冷却器（１０３，１０４，２１４，２２４，２５１，２５２）を備えていることを特徴とする調湿装置。
【請求項３】
第１吸着素子（８１）と第２吸着素子（８２）とを備えるとともに、第１吸着素子（８１）で第１空気を減湿しながら第２吸着素子（８２）を第２空気で再生する第１動作と、第１吸着素子（８１）を第２空気で再生しながら第２吸着素子（８２）で第１空気を減湿する第２動作とを交互に切り換えるバッチ式の運転動作を行うように構成され、
一方の吸着素子（８１，８２）の冷却側通路（８６）へ流入する冷却用流体が、他方の吸着素子（８２，８１）の調湿側通路（８５）への流入前の第２空気により構成されていることを特徴とする請求項１または２記載の調湿装置。
【請求項４】
冷媒が循環して冷凍サイクルを行う冷媒回路（１００）を備え、
冷却器は、上記冷媒回路（１００）の蒸発器（１０３，１０４）により構成されていることを特徴とする請求項１，２または３記載の調湿装置。
【請求項５】
冷媒回路（１００）は、圧縮機（１０１）と、凝縮器（１０２）と、第１膨張機構（１１１）と、第１蒸発器（１０３）と、第２膨張機構（１１２）と、第２蒸発器（１０４）とが順に接続された回路であり、
冷却器は、上記冷媒回路（１００）の第１蒸発器（１０３）または第２蒸発器（１０４）により構成されていることを特徴とする請求項４記載の調湿装置。
【請求項６】
冷媒回路（１００）は、圧縮機（１０１）と、凝縮器（１０２）と、膨張機構（１１１，１１２）と、第１蒸発器（１０３）及び第２蒸発器（１０４）とを備えるとともに、第１蒸発器（１０３）と第２蒸発器（１０４）が直列に接続され、
冷却器は、上記冷媒回路（１００）の上流側の蒸発器により構成されていることを特徴とする請求項４記載の調湿装置。
【請求項７】
冷媒回路（１００）は、圧縮機（１０１）と、凝縮器（１０２）と、膨張機構（１１１，１１２）と、第１蒸発器（１０３）及び第２蒸発器（１０４）とを備えるとともに、第１蒸発器（１０３）と第２蒸発器（１０４）が直列に接続され、
冷却器は、上記冷媒回路（１００）の下流側の蒸発器により構成されていることを特徴とする請求項４記載の調湿装置。
【請求項８】
冷媒回路（１００）は、圧縮機（１０１）と、凝縮器（１０２）と、膨張機構（１１１，１１２）と、第１蒸発器（１０３）及び第２蒸発器（１０４）とを備えるとともに、第１蒸発器（１０３）と第２蒸発器（１０４）が並列に接続され、
冷却器は、上記冷媒回路（１００）の第１蒸発器（１０３）または第２蒸発器（１０４）により構成されていることを特徴とする請求項４記載の調湿装置。
【請求項９】
冷媒回路（１００）は、圧縮機（１０１）と、凝縮器（１０２）と、膨張機構（１１１，１１２）と、第１蒸発器（１０３）及び第２蒸発器（１０４）とを備え、
第１蒸発器（１０３）と第２蒸発器（１０４）の一方を蒸発器とし、他方を休止する運転が可能に構成され、
冷却器は、上記冷媒回路（１００）の一方の蒸発器（１０３，１０４）により構成されていることを特徴とする請求項４記載の調湿装置。
【請求項１０】
冷媒が循環して冷凍サイクルを行う２つの冷媒回路（２１０，２２０）を備え、
冷却器は、一方の冷媒回路（２１０，２２０）の蒸発器（２１４，２２４）により構成されていることを特徴とする請求項１，２または３記載の調湿装置。
【請求項１１】
冷却器は、冷水と冷却用流体とが熱交換を行う冷水コイル（２５１，２５２）により構成されていることを特徴とする請求項１，２または３記載の調湿装置。
【請求項１２】
冷却器は、ペルチェ効果によって冷却用流体を冷却する熱電素子（２５１，２５２）により構成されていることを特徴とする請求項１，２または３記載の調湿装置。
【発明の詳細な説明】
【０００１】
【発明の属する技術分野】
本発明は、吸着素子により空気の湿度を調節する調湿装置に関し、特に、第１空気からの水分の吸着と第２空気への水分の放出とが可能な調湿側通路と、調湿側通路における水分吸着時の吸着熱を冷却用流体に吸熱させる冷却側通路とを有する吸着素子を用いた調湿装置に係るものである。
【０００２】
【従来の技術】
従来より、吸着剤を用いて空気の湿度調節を行う調湿装置が知られている。例えば、特開平１０−９６３３号公報には、吸着剤を含む吸着素子を２つ備えて下記のバッチ式の動作を行う調湿装置が開示されている。この調湿装置には、冷凍サイクルを行う冷媒回路も設けられている。
【０００３】
上記調湿装置は、第１の吸着素子で第１空気を減湿しながら第２の吸着素子を第２空気で再生する第１動作と、第１の吸着素子を第２空気で再生しながら第２の吸着素子で第１空気を減湿する第２動作とを交互に切り換えるバッチ式の運転動作を行い、除湿空気（第１空気）または加湿空気（第２空気）を室内へ連続して供給するように構成されている。
【０００４】
例えば、除湿運転時、第１空気は、吸着素子での減湿後、更に冷媒回路の蒸発器で冷却されてから室内へ供給される。また、第２空気は、冷媒回路の凝縮器で加熱されてから吸着素子へ供給される。そして、高温の第２空気が供給された吸着素子から水分が脱離してその吸着素子が再生され、第２空気は加湿される。この調湿装置では、再生側の吸着素子で加湿された空気を室内に供給すると、加湿運転を行うことができる。
【０００５】
ところで、吸着素子で第１空気を減湿する際には吸着熱が発生する。そして、吸着熱により素子の温度が上昇すると吸着性能が低下する。そこで、このような問題に対して、吸着素子を冷却用流体で冷却することが提案されている。
【０００６】
冷却用流体により冷却するタイプの吸着素子は、処理空気である第１空気及び第２空気が流れる調湿側通路と、冷却用流体が流れる冷却側通路とを有している。そして、冷却側通路は、調湿側通路を第１空気が通過する際に発生する吸着熱を冷却用流体で吸熱するように構成されている。
【０００７】
【発明が解決しようとする課題】
上記調湿装置は一般に外気処理空調機に用いられており、除湿時の第１空気には室外空気が用いられ、冷却用流体及び第２空気には室内空気が用いられている。ここで、夏期には一般に室内が冷房されているため、室内空気が室外空気よりも低温であり、吸着熱が発生する吸着素子を冷却用流体としての室内空気で冷却できる。一方、例えば厨房などで冬季でも除湿が必要な場合には、冷却用流体である室内空気が通常は室外空気よりも高温になっているため、冷却用流体による冷却効果が極端に小さくなるかほとんど得られなくなる。その結果、減湿中の第１空気の温度が比較的高くなってしまい、充分な減湿を行うのが困難になる。
【０００８】
このように、上記調湿装置では、例えば冬季の除湿時には、吸着素子によって第１空気から奪われる水分量、即ち吸着素子における第１空気の減湿量が不足し、充分な吸着性能が得られないことがあった。また、充分な減湿量を確保しようとすると吸着素子が大型化し、その結果、調湿装置の大型化を招くという問題もあった。このことは、電気工場で電子部品を乾燥状態に保持する必要がある場合や、印刷工場で印刷用紙を乾燥状態に保持する必要がある場合などでも同様である。
【０００９】
一方、加湿時には第１空気に室内空気が用いられ、冷却用流体及び第２空気として室外空気が用いられる。ここで、冬季には一般に室内が暖房されているため室内空気が室外空気よりも高温であり、吸着熱が発生する吸着素子を冷却用流体としての室外空気で冷却できる。しかし、例えば生花店などで夏期でも加湿が必要な場合は、冷却用流体である室外空気が室内空気よりも高温になるため、冷却用流体による冷却効果が極端に小さくなるかほとんど得られなくなる。その結果、冬季の除湿時と同様に第１空気の減湿量が少なくなってしまい、第２空気の加湿量も不十分になるという問題があった。
【００１０】
このように、従来の調湿装置では、冷却用流体が比較的高温の場合、除加湿の性能が低下するか、装置が大型化することになっていた。本発明は、このような問題点に鑑みて創案されたものであり、その目的とするところは、冷却用流体が比較的高温の場合、特に冷却用流体が第１空気よりも高温の場合でも、十分な除湿性能及び加湿性能を確保できるようにし、かつ調湿装置の大型化を防止できるようにすることである。
【００１１】
【課題を解決するための手段】
本発明は、吸着熱が発生する吸着素子を冷却用流体で冷却するタイプの調湿装置において、冷却用流体が比較的高温の場合などに冷却用流体を冷却することのできる冷却器を設けたものである。
【００１２】
具体的に、請求項１に記載の発明は、第１空気からの水分の吸着と第２空気への水分の放出が可能な調湿側通路（８５）と調湿側通路（８５）における水分吸着時の吸着熱を冷却用流体に吸熱させる冷却側通路（８６）とを有する吸着素子（８１，８２）を備え、該吸着素子（８１，８２）で空気を調湿して室内へ供給する調湿装置を前提としている。
【００１３】
そして、この調湿装置は、冷却側通路へ流入する冷却用流体を冷却する冷却器（１０３，１０４，２１４，２２４，２５１，２５２）を備えていることを特徴としている。この発明では、除湿運転時の第１空気には室外空気を用い、第２空気には室内空気を用いることができる。また、加湿運転時の第１空気には室内空気を用い、第２空気には室外空気を用いることができる。
【００１４】
この請求項１の発明では、冷却用流体が冷却器（１０３，１０４，２１４，２２４，２５１，２５２）によって冷却されてから吸着素子（８１，８２）の冷却側通路（８６）に流入する。したがって、冷却用流体が比較的高温の場合でも、該冷却用流体による吸着素子（８１，８２）の冷却効果が高められるので、第１空気の減湿量及び第２空気の加湿量を増やすことができる。
【００１５】
また、請求項２に記載の発明は、前提とする構成は請求項１の発明と同じであり、冷却側通路（８６）へ流入する冷却用流体が調湿側通路（８５）を流れる第１空気よりも高温の場合に冷却用流体を冷却する冷却器（１０３，１０４，２１４，２２４，２５１，２５２）を備えていることを特徴としている。この発明においても、除湿運転時の第１空気には室外空気を用い、第２空気には室内空気を用いることができ、加湿運転時の第１空気には室内空気を用い、第２空気には室外空気を用いることができる。
【００１６】
この請求項２の発明では、例えば厨房などで冬季に除湿が必要になった場合、冷却用流体に室内空気を使っていて、かつ該室内空気が暖房などにより室外空気（第１空気）より高温になっていても、室内空気を冷却することで、冷却効果が大きくなるため吸着素子の温度上昇が抑えられる。したがって、吸着素子（８１，８２）で充分な水分吸着量を得ることが可能となる。
【００１７】
また、例えば生花店などで夏期に加湿が必要になった場合、冷却用流体に室外空気を使っていて、かつ該室内空気（第１空気）が冷房により室外空気より高温になっていても、室外空気を冷却することで、冷却効果が大きくなるため吸着素子の温度上昇が抑えられる。したがって、吸着素子で十分な水分吸着量を得ることが可能となり、第２空気の加湿量も十分なレベルに増加する。
【００１８】
また、請求項３に記載の発明は、請求項１または２に記載の調湿装置において、第１吸着素子（８１）と第２吸着素子（８２）とを備えるとともに、第１吸着素子（８１）で第１空気を減湿しながら第２吸着素子（８２）を第２空気で再生する第１動作と、第１吸着素子（８１）を第２空気で再生しながら第２吸着素子（８２）で第１空気を減湿する第２動作とを交互に切り換えるバッチ式の運転動作を行うように構成され、一方の吸着素子（８１，８２）の冷却側通路（８６）へ流入する冷却用流体が、他方の吸着素子（８２，８１）の調湿側通路（８５）への流入前の第２空気により構成されていることを特徴としている。
【００１９】
この請求項３の発明では、第１空気が一方の吸着素子（８１，８２）の調湿側通路（８５）に流入し、第２空気はまず冷却器（１０３，１０４，２１４，２２４，２５１，２５２）により冷却されて、一方の吸着素子（８１，８２）の冷却側通路（８６）に流入する。この第２空気は第１空気が調湿側通路（８５）を流れるときに発生する吸着熱を吸熱し、加熱される。第２空気は、その後必要に応じてさらに加熱され、他方の吸着素子（８２，８１）の調湿側通路（８５）を流れ、該吸着素子（８２，８１）の吸着剤を再生する。そして、吸着側と再生側とを交互に切り換えることにより、除湿または加湿運転が連続して行われる。
【００２０】
また、請求項４に記載の発明は、請求項１，２または３に記載の調湿装置において、冷媒が循環して冷凍サイクルを行う冷媒回路（１００）を備え、冷却器が、上記冷媒回路（１００）の蒸発器（１０３，１０４）により構成されていることを特徴としている。
【００２１】
また、請求項５に記載の発明は、請求項４に記載の調湿装置において、冷媒回路（１００）が、圧縮機（１０１）と、凝縮器（１０２）と、第１膨張機構（１１１）と、第１蒸発器（１０３）と、第２膨張機構（１１２）と、第２蒸発器（１０４）とが順に接続された回路であり、冷却器が、上記冷媒回路（１００）の第１蒸発器（１０３）または第２蒸発器（１０４）により構成されていることを特徴としている。この構成では、第１蒸発器（１０３）が中間圧の蒸発器を構成している。
【００２２】
また、請求項６に記載の発明は、請求項４に記載の調湿装置において、冷媒回路（１００）が、圧縮機（１０１）と、凝縮器（１０２）と、膨張機構（１１１，１１２）と、第１蒸発器（１０３）及び第２蒸発器（１０４）とを備えるとともに、第１蒸発器（１０３）と第２蒸発器（１０４）が直列に接続され、冷却器が、上記冷媒回路（１００）の上流側の蒸発器により構成されていることを特徴としている。
【００２３】
また、請求項７に記載の発明は、請求項４に記載の調湿装置において、冷媒回路（１００）が、圧縮機（１０１）と、凝縮器（１０２）と、膨張機構（１１１，１１２）と、第１蒸発器（１０３）及び第２蒸発器（１０４）とを備えるとともに、第１蒸発器（１０３）と第２蒸発器（１０４）が直列に接続され、冷却器が、上記冷媒回路（１００）の下流側の蒸発器により構成されていることを特徴としている。
【００２４】
また、請求項８に記載の発明は、請求項４に記載の調湿装置において、冷媒回路（１００）が、圧縮機（１０１）と、凝縮器（１０２）と、膨張機構（１１１，１１２）と、第１蒸発器（１０３）及び第２蒸発器（１０４）とを備えるとともに、第１蒸発器（１０３）と第２蒸発器（１０４）が並列に接続され、冷却器が、上記冷媒回路（１００）の第１蒸発器（１０３）または第２蒸発器（１０４）により構成されていることを特徴としている。
【００２５】
また、請求項９に記載の発明は、請求項４に記載の調湿装置において、冷媒回路（１００）が、圧縮機（１０１）と、凝縮器（１０２）と、膨張機構（１１１，１１２）と、第１蒸発器（１０３）及び第２蒸発器（１０４）とを備え、第１蒸発器（１０３）と第２蒸発器（１０４）の一方を蒸発器とし、他方を休止する運転が可能に構成され、冷却器が、上記冷媒回路（１００）の一方の蒸発器（１０３，１０４）により構成されていることを特徴としている。
【００２６】
また、請求項１０に記載の発明は、請求項１，２または３に記載の調湿装置において、冷媒が循環して冷凍サイクルを行う２つの冷媒回路（２１０，２２０）を備え、冷却器が、一方の冷媒回路（２１０，２２０）の蒸発器（２１４，２２４）により構成されていることを特徴としている。
【００２７】
上記請求項４から１０の発明においては、それぞれ、冷却用流体が冷媒回路（１００，２１０，２２０）の蒸発器（１０３，１０４，２１４，２２４）により冷却されてから吸着素子（８１，８２）に供給され、該素子（８１，８２）の冷却が行われる。
【００２８】
また、請求項１１に記載の発明は、請求項１，２または３に記載の調湿装置において、冷却器が、冷水と冷却用流体とが熱交換を行う冷水コイル（２５１，２５２）により構成されていることを特徴としている。
【００２９】
また、請求項１２に記載の発明は、請求項１，２または３に記載の調湿装置において、冷却器が、ペルチェ効果によって冷却用流体を冷却する熱電素子（２５１，２５２）により構成されていることを特徴としている。
【００３０】
上記請求項１１，１２の発明では、冷却用流体が冷却器（２５１，２５２）としての冷水コイルや熱電素子によって冷却されてから吸着素子（８１，８２）の冷却側通路（８６）に流入し、冷却用流体による吸着素子（８１，８２）での冷却効果が高められる。
【００３１】
【発明の実施の形態１】
以下、本発明の実施形態１を図面に基づいて詳細に説明する。なお、以下の説明において、「上」　「下」　「左」　「右」　「前」　「後」　「手前」　「奥」　は、何れも参照する図面におけるものを意味している。
【００３２】
本実施形態に係る調湿装置は、減湿された空気が室内へ供給される除湿運転と、加湿された空気が室内へ供給される加湿運転とを切り換えて行うように構成されている。また、この調湿装置は、冷媒回路（１００）と２つの吸着素子（８１，８２）とを備え、減湿側での吸着動作に用いる吸着素子（８１，８２）と加湿側での再生動作に用いる吸着素子（８２，８１）を交互に切り換える、いわゆるバッチ式の動作を行うように構成されている。ここでは、本実施形態に係る調湿装置の構成について、図１，図５，図６，図７を参照しながら説明する。
【００３３】
《調湿装置の全体構成》
図１，図５に示すように、上記調湿装置は、やや扁平な直方体状のケーシング（１０）を備えている。このケーシング（１０）には、吸着剤を有して該吸着剤を空気と接触させる２つの吸着素子（８１，８２）と、冷媒を循環させて冷凍サイクルを行う冷媒回路（１００）（図７参照）とが収納されている。冷媒回路（１００）には、圧縮機（１０１）、再生熱交換器（１０２）、第１熱交換器（１０３）、及び第２熱交換器（１０４）などが設けられている。この冷媒回路（１００）の詳細については後述する。
【００３４】
図６に示すように、上記吸着素子（８１，８２）は、平板状の平板部材（８３）と波形状の波板部材（８４）とを交互に積層して構成されている。平板部材（８３）は、長方形状に形成されている。また、波板部材（８４）は、平板部材（８３）と同様の長方形状に形成され、隣接する波板部材（８４）の稜線方向が互いに９０°の角度で交差する姿勢で積層されている。そして、吸着素子（８１，８２）は、全体として直方体状ないし四角柱状に形成されている。
【００３５】
上記吸着素子（８１，８２）には、平板部材（８３）及び波板部材（８４）の積層方向において、調湿側通路（８５）と冷却側通路（８６）とが平板部材（８３）を挟んで交互に区画形成されている。この吸着素子（８１，８２）において、平板部材（８３）の長辺側の側面に調湿側通路（８５）が開口し、平板部材（８３）の短辺側の側面に冷却側通路（８６）が開口している。また、この吸着素子（８１，８２）において、同図の手前側と奥側の端面は、調湿側通路（８５）と冷却側通路（８６）の何れも開口しない閉塞面を構成している。
【００３６】
上記吸着素子（８１，８２）において、調湿側通路（８５）に臨む平板部材（８３）の表面や、調湿側通路（８５）に設けられた波板部材（８４）の表面には、水蒸気を吸着するための吸着剤が塗布されている。この種の吸着剤としては、例えばシリカゲル、ゼオライト、イオン交換樹脂等を挙げることができる。
【００３７】
図１に示すように、上記ケーシング（１０）において、最も手前側には室外側パネル（１１）が設けられ、最も奥側には室内側パネル（１２）が設けられている。室外側パネル（１１）には、その左端寄りに室外側吸込口（１３）が形成され、その右端寄りに室外側吹出口（１６）が形成されている。一方、室内側パネル（１２）には、その左端寄りに室内側吹出口（１４）が形成され、その右端寄りに室内側吸込口（１５）が形成されている。
【００３８】
ケーシング（１０）の内部には、手前側から奥側へ向かって順に、第１仕切板（２０）と、第２仕切板（３０）とが設けられている。ケーシング（１０）の内部空間は、これら第１，第２仕切板（２０，３０）によって、前後に３つの空間に仕切られている。
【００３９】
室外側パネル（１１）と第１仕切板（２０）の間の空間は、上側の室外側上部流路（４１）と下側の室外側下部流路（４２）とに区画されている。室外側上部流路（４１）は、室外側吹出口（１６）によって室外空間と連通している。室外側下部流路（４２）は、室外側吸込口（１３）によって室外空間と連通している。
【００４０】
室外側パネル（１１）と第１仕切板（２０）の間の空間には、その右端寄りに排気ファン（９６）が設置されている。また、室外側下部流路（４２）には、第２熱交換器（１０４）が設置されている。第２熱交換器（１０４）は、いわゆるクロスフィン型のフィン・アンド・チューブ熱交換器であって、室外側吸込口（１３）から室外側下部流路（４２）を流れる空気と冷媒回路（１００）の冷媒とを熱交換させるように構成されている。この実施形態において、第２熱交換器（１０４）は、室外から吸引される空気と冷媒とを熱交換させるものであり、具体的には、除湿時に吸着素子（８１，８２）の調湿側通路（８５）に供給される空気と冷媒とを熱交換させ、加湿時に吸着素子（８１，８２）の冷却側通路（８６）に供給される空気と冷媒とを熱交換させる。
【００４１】
第１仕切板（２０）には、第１右側開口（２１）、第１左側開口（２２）、第１右上開口（２３）、第１右下開口（２４）、第１左上開口（２５）、及び第１左下開口（２６）が形成されている。これらの開口（２１，２２，…）は、それぞれが開閉シャッタを備えて開閉自在に構成されている。
【００４２】
第１右側開口（２１）及び第１左側開口（２２）は、縦長の長方形状の開口である。第１右側開口（２１）は、第１仕切板（２０）の右端近傍に設けられている。第１左側開口（２２）は、第１仕切板（２０）の左端近傍に設けられている。第１右上開口（２３）、第１右下開口（２４）、第１左上開口（２５）、及び第１左下開口（２６）は、横長の長方形状の開口である。第１右上開口（２３）は、第１仕切板（２０）の上部における第１右側開口（２１）の左隣に設けられている。第１右下開口（２４）は、第１仕切板（２０）の下部における第１右側開口（２１）の左隣に設けられている。第１左上開口（２５）は、第１仕切板（２０）の上部における第１左側開口（２２）の右隣に設けられている。第１左下開口（２６）は、第１仕切板（２０）の下部における第１左側開口（２２）の右隣に設けられている。
【００４３】
第１仕切板（２０）と第２仕切板（３０）の間には、２つの吸着素子（８１，８２）が設置されている。これら吸着素子（８１，８２）は、所定の間隔をおいて左右に並んだ状態に配置されている。具体的には、右寄りに第１吸着素子（８１）が設けられ、左寄りに第２吸着素子（８２）が設けられている。
【００４４】
第１，第２吸着素子（８１，８２）は、それぞれにおける平板部材（８３）及び波板部材（８４）の積層方向がケーシング（１０）の長手方向（図１における手前から奥へ向かう方向）と一致すると共に、それぞれにおける平板部材（８３）等の積層方向が互いに平行となる姿勢で設置されている。更に、各吸着素子（８１，８２）は、左右の側面がケーシング（１０）の側板と、上下面がケーシング（１０）の天板及び底板と、前後の端面が室外側パネル（１１）及び室内側パネル（１２）とそれぞれ略平行になる姿勢で配置されている。
【００４５】
ケーシング（１０）内に設置された各吸着素子（８１，８２）には、その左右の側面に冷却側通路（８６）が開口している。そして、第１吸着素子（８１）において冷却側通路（８６）の開口する１つの側面と、第２吸着素子（８２）において冷却側通路（８６）の開口する１つの側面とは、互いに向かい合っている。
【００４６】
第１仕切板（２０）と第２仕切板（３０）の間の空間は、数枚の仕切板により、右側流路（５１）、左側流路（５２）、右上流路（５３）、右下流路（５４）、左上流路（５５）、左下流路（５６）、及び中央流路（５７）に区画されている。
【００４７】
右側流路（５１）は、第１吸着素子（８１）の右側に形成され、第１吸着素子（８１）の冷却側通路（８６）に連通している。左側流路（５２）は、第２吸着素子（８２）の左側に形成され、第２吸着素子（８２）の冷却側通路（８６）に連通している。
【００４８】
右上流路（５３）は、第１吸着素子（８１）の上側に形成され、第１吸着素子（８１）の調湿側通路（８５）に連通している。右下流路（５４）は、第１吸着素子（８１）の下側に形成され、第１吸着素子（８１）の調湿側通路（８５）に連通している。左上流路（５５）は、第２吸着素子（８２）の上側に形成され、第２吸着素子（８２）の調湿側通路（８５）に連通している。左下流路（５６）は、第２吸着素子（８２）の下側に形成され、第２吸着素子（８２）の調湿側通路（８５）に連通している。
【００４９】
中央流路（５７）は、第１吸着素子（８１）と第２吸着素子（８２）の間に形成され、両吸着素子（８１，８２）の冷却側通路（８６）に連通している。この中央流路（５７）は、図１，図５に現れる流路断面の形状が四角形状となっている。
【００５０】
再生熱交換器（１０２）は、いわゆるクロスフィン型のフィン・アンド・チューブ熱交換器であって、中央流路（５７）を流れる空気と冷媒回路（１００）の冷媒とを熱交換させるように構成されている。この再生熱交換器（１０２）は、中央流路（５７）に配置されている。つまり、再生熱交換器（１０２）は、左右に並んだ第１吸着素子（８１）と第２吸着素子（８２）の間に設置されている。更に、再生熱交換器（１０２）は、ほぼ水平に寝かせられた状態で、中央流路（５７）を上下に仕切るように設けられている。また、再生熱交換器（１０２）は、その上面が第１及び第２吸着素子（８１，８２）の下面よりも僅かに下となるように配置されている。
【００５１】
第１吸着素子（８１）と再生熱交換器（１０２）の間には、右側シャッタ（６１）が設けられている。この右側シャッタ（６１）は、中央流路（５７）における再生熱交換器（１０２）の下側部分と右下流路（５４）との間を仕切るものであって、開閉自在に構成されている。一方、第２吸着素子（８２）と再生熱交換器（１０２）の間には、左側シャッタ（６２）が設けられている。この左側シャッタ（６２）は、中央流路（５７）における再生熱交換器（１０２）の下側部分と左下流路（５６）との間を仕切るものであって、開閉自在に構成されている。
【００５２】
室外側パネル（１１）と第１仕切板（２０）の間の流路（４１，４２）と、第１仕切板（２０）と第２仕切板（３０）の間の流路（５１，５２，…）とは、第１仕切板（２０）の開口（２１，２２，…）に設けられた開閉シャッタによって、連通状態と遮断状態に切り換えられる。具体的に、第１右側開口（２１）を開口状態とすると、右側流路（５１）と室外側下部流路（４２）が連通する。第１左側開口（２２）を開口状態とすると、左側流路（５２）と室外側下部流路（４２）が連通する。第１右上開口（２３）を開口状態とすると、右上流路（５３）と室外側上部流路（４１）が連通する。第１右下開口（２４）を開口状態とすると、右下流路（５４）と室外側下部流路（４２）が連通する。第１左上開口（２５）を開口状態とすると、左上流路（５５）と室外側上部流路（４１）が連通する。第１左下開口（２６）を開口状態とすると、左下流路（５６）と室外側下部流路（４２）が連通する。
【００５３】
第２仕切板（３０）には、第２右側開口（３１）、第２左側開口（３２）、第２右上開口（３３）、第２右下開口（３４）、第２左上開口（３５）、及び第２左下開口（３６）が形成されている。これらの開口（３１，３２，…）は、それぞれが開閉シャッタを備えて開閉自在に構成されている。
【００５４】
第２右側開口（３１）及び第２左側開口（３２）は、縦長の長方形状の開口である。第２右側開口（３１）は、第２仕切板（３０）の右端近傍に設けられている。第２左側開口（３２）は、第２仕切板（３０）の左端近傍に設けられている。第２右上開口（３３）、第２右下開口（３４）、第２左上開口（３５）、及び第２左下開口（３６）は、横長の長方形状の開口である。第２右上開口（３３）は、第２仕切板（３０）の上部における第２右側開口（３１）の左隣に設けられている。第２右下開口（３４）は、第２仕切板（３０）の下部における第２右側開口（３１）の左隣に設けられている。第２左上開口（３５）は、第２仕切板（３０）の上部における第２左側開口（３２）の右隣に設けられている。第２左下開口（３６）は、第２仕切板（３０）の下部における第２左側開口（３２）の右隣に設けられている。
【００５５】
室内側パネル（１２）と第２仕切板（３０）の間の空間は、上側の室内側上部流路（４６）と下側の室内側下部流路（４７）とに区画されている。室内側上部流路（４６）は、室内側吹出口（１４）によって室内空間と連通している。室内側下部流路（４７）は、室内側吸込口（１５）によって室内空間と連通している。
【００５６】
室内側パネル（１２）と第２仕切板（３０）の間の空間には、その左端寄りに給気ファン（９５）が設置されている。また、室内側上部流路（４６）には、第１熱交換器（１０３）が設置されている。第１熱交換器（１０３）は、いわゆるクロスフィン型のフィン・アンド・チューブ熱交換器であって、給気ファン（９５）へ向けて室内側上部流路（４６）を流れる空気と冷媒回路（１００）の冷媒とを熱交換させるように構成されている。この実施形態１において、第１熱交換器（１０３）は、室内へ供給される空気と冷媒とを熱交換させるためのものである。
【００５７】
第１仕切板（２０）と第２仕切板（３０）の間の流路と、第２仕切板（３０）と室外側パネル（１１）の間の流路とは、第２仕切板（３０）の開口に設けられた開閉シャッタによって、連通状態と遮断状態に切り換えられる。具体的に、第２右側開口（３１）を開口状態とすると、右側流路（５１）と室内側下部流路（４７）が連通する。第２左側開口（３２）を開口状態とすると、左側流路（５２）と室内側下部流路（４７）が連通する。第２右上開口（３３）を開口状態とすると、右上流路（５３）と室内側上部流路（４６）が連通する。第２右下開口（３４）を開口状態とすると、右下流路（５４）と室内側下部流路（４７）が連通する。第２左上開口（３５）を開口状態とすると、左上流路（５５）と室内側上部流路（４６）が連通する。第２左下開口（３６）を開口状態とすると、左下流路（５６）と室内側下部流路（４７）が連通する。
【００５８】
《冷媒回路の構成》
上記冷媒回路（１００）について図７を参照して説明する。上記冷媒回路（１００）は、冷媒の充填された閉回路である。この冷媒回路（１００）には、圧縮機（１０１）、再生熱交換器（１０２）、第１熱交換器（１０３）、第２熱交換器（１０４）、レシーバ（１０５）、及びブリッジ回路（１０６）が設けられている。また、冷媒回路（１００）には、１つの四方切換弁（１２０）と、２つの電動膨張弁（膨張機構）（１１１，１１２）が設けられている。この冷媒回路（１００）では、冷媒を循環させることで蒸気圧縮式の冷凍サイクルが行われる。
【００５９】
冷媒回路（１００）において、圧縮機（１０１）の吐出側は、再生熱交換器（１０２）の一端に接続されている。再生熱交換器（１０２）の他端は、第１電動膨張弁（１１１）の一端に接続されている。第１電動膨張弁（１１１）の他端は、四方切換弁（１２０）の第１ポート（１２１）に接続されている。四方切換弁（１２０）は、第２ポート（１２２）が第２熱交換器（１０４）の一端に、第３ポート（１２３）が圧縮機（１０１）の吸入側に、第４ポート（１２４）が第１熱交換器（１０３）の一端にそれぞれ接続されている。
【００６０】
第１熱交換器（１０３）の他端と第２熱交換器（１０４）の他端とは、それぞれがブリッジ回路（１０６）に接続されている。第２電動膨張弁（１１２）は、その一端がレシーバ（１０５）を介してブリッジ回路（１０６）に接続され、他端がブリッジ回路（１０６）に直接に接続されている。
【００６１】
ブリッジ回路（１０６）は、４つの逆止弁（１５１〜１５４）をブリッジ状に接続したものである。このブリッジ回路（１０６）では、第１逆止弁（１５１）と第２逆止弁（１５２）の間に第１熱交換器（１０３）が、第２逆止弁（１５２）と第３逆止弁（１５３）の間に第２電動膨張弁（１１２）が、第３逆止弁（１５３）と第４逆止弁（１５４）の間に第２熱交換器（１０４）が、第４逆止弁（１５４）と第１逆止弁（１５１）の間にレシーバ（１０５）が、それぞれ接続されている。
【００６２】
このブリッジ回路（１０６）において、第１逆止弁（１５１）は、第１熱交換器（１０３）からレシーバ（１０５）へ向かう冷媒の流通のみを許容するように設置されている。第２逆止弁（１５２）は、第２電動膨張弁（１１２）から第１熱交換器（１０３）へ向かう冷媒の流通のみを許容するように設置されている。第３逆止弁（１５３）は、第２電動膨張弁（１１２）から第２熱交換器（１０４）へ向かう冷媒の流通のみを許容するように設置されている。第４逆止弁（１５４）は、第２熱交換器（１０４）からレシーバ（１０５）へ向かう冷媒の流通のみを許容するように設置されている。
【００６３】
四方切換弁（１２０）は、第１ポート（１２１）と第２ポート（１２２）が互いに連通して第３ポート（１２３）と第４ポート（１２４）が互いに連通する状態と、第１ポート（１２１）と第４ポート（１２４）が互いに連通して第２ポート（１２２）と第３ポート（１２３）が互いに連通する状態とにそれぞれ切り換わる。
【００６４】
−運転動作−
次に、上記調湿装置の運転動作について説明する。この調湿装置は、上述したように除湿運転と加湿運転とを切り換えて行う。また、この調湿装置は、第１吸着素子（８１）で吸着動作を行うとともに第２吸着素子（８２）で再生動作を行う第１動作と、第２吸着素子（８２）で吸着動作を行うとともに第１吸着素子（８１）で再生動作を行う第２動作とを交互に切り換え、吸着側の第１空気または再生側の第２空気を室内へ供給することによって除湿運転または加湿運転を行う。なお、第２空気は、吸着素子の吸着熱を吸熱する冷却用流体としても用いられている。
【００６５】
《除湿運転》
図１，図２に示すように、除湿運転時において、給気ファン（９５）を駆動すると、室外空気が室外側吸込口（１３）を通じてケーシング（１０）内に取り込まれる。この室外空気は、第１空気として室外側下部流路（４２）へ流入する。一方、排気ファン（９６）を駆動すると、室内空気が室内側吸込口（１５）を通じてケーシング（１０）内に取り込まれる。この室内空気は、第２空気として室内側下部流路（４７）へ流入する。
【００６６】
この除湿運転時において、冷媒回路（１００）では、再生熱交換器（１０２）が凝縮器となり、第１熱交換器（１０３）及び第２熱交換器（１０４）の両方が蒸発器となる。この冷媒回路（１００）の動作については後述する。
【００６７】
（第１動作）
除湿運転の第１動作について、図１，図５を参照しながら説明する。この第１動作では、上述したように、第１吸着素子（８１）についての吸着動作と、第２吸着素子（８２）についての再生動作とが行われる。つまり、第１動作では、第１吸着素子（８１）で空気が減湿されると同時に、第２吸着素子（８２）の吸着剤が再生される。
【００６８】
図１に示すように、第１仕切板（２０）では、第１右下開口（２４）と第１左上開口（２５）とが連通状態となり、残りの開口（２１，２２，２３，２６）が遮断状態となっている。この状態では、第１右下開口（２４）によって室外側下部流路（４２）と右下流路（５４）とが連通し、第１左上開口（２５）によって左上流路（５５）と室外側上部流路（４１）とが連通する。
【００６９】
第２仕切板（３０）では、第２右側開口（３１）と第２右上開口（３３）とが連通状態となり、残りの開口（３２，３４，３５，３６）が遮断状態となっている。この状態では、第２右側開口（３１）によって室内側下部流路（４７）と右側流路（５１）とが連通し、第２右上開口（３３）によって右上流路（５３）と室内側上部流路（４６）とが連通する。
【００７０】
右側シャッタ（６１）は閉鎖状態となり、左側シャッタ（６２）は開口状態となっている。この状態では、中央流路（５７）における再生熱交換器（１０２）の下側部分と左下流路（５６）とが、左側シャッタ（６２）を介して連通する。
【００７１】
ケーシング（１０）に取り込まれた第１空気は、室外側下部流路（４２）を通るときに第２熱交換器（１０４）を通過し、冷媒と熱交換して冷却される。この第１空気は、第１右下開口（２４）を通って右下流路（５４）へ流入する。一方、ケーシング（１０）に取り込まれた第２空気は、室内側下部流路（４７）から第２右側開口（３１）を通って右側流路（５１）へ流入する。
【００７２】
図５（ａ）にも示すように、右下流路（５４）の第１空気は、第１吸着素子（８１）の調湿側通路（８５）へ流入する。この調湿側通路（８５）を流れる間に、第１空気に含まれる水蒸気が吸着剤に吸着される。第１吸着素子（８１）で減湿された第１空気は、右上流路（５３）へ流入する。
【００７３】
一方、右側流路（５１）の第２空気は、第１吸着素子（８１）の冷却側通路（８６）へ流入する。この冷却側通路（８６）を流れる間に、第２空気は、調湿側通路（８５）で第１空気の水蒸気が吸着剤に吸着される際に生じた吸着熱を吸熱する。つまり、第２空気は、冷却用流体として冷却側通路（８６）を流れる。吸着熱を奪った第２空気は、中央流路（５７）へ流入して再生熱交換器（１０２）を通過する。その際、再生熱交換器（１０２）では、第２空気が冷媒との熱交換によって加熱される。その後、第２空気は、中央流路（５７）から左下流路（５６）へ流入する。
【００７４】
第１吸着素子（８１）及び再生熱交換器（１０２）で加熱された第２空気は、第２吸着素子（８２）の調湿側通路（８５）へ導入される。この調湿側通路（８５）では、第２空気によって吸着剤が加熱され、吸着剤から水蒸気が脱離する。つまり、第２吸着素子（８２）の再生が行われる。吸着剤から脱離した水蒸気は、第２空気と共に左上流路（５５）へ流入する。
【００７５】
図１に示すように、右上流路（５３）へ流入した減湿後の第１空気は、第２右上開口（３３）を通って室内側上部流路（４６）へ送り込まれる。この第１空気は、室内側上部流路（４６）を流れる間に第１熱交換器（１０３）を通過し、冷媒との熱交換によって冷却される。減湿されて冷却された第１空気は、その後、室内側吹出口（１４）を通って室内へ供給される。
【００７６】
一方、左上流路（５５）へ流入した第２空気は、第１左上開口（２５）を通って室外側上部流路（４１）へ流入する。第１吸着素子（８１）の冷却と第２吸着素子（８２）の再生に利用された第２空気は、室外側上部流路（４１）から室外側吹出口（１６）を通って室外へ排出される。
【００７７】
（第２動作）
除湿運転の第２動作について、図２，図５を参照しながら説明する。この第２動作では、第１動作時とは逆に、第２吸着素子（８２）についての吸着動作と、第１吸着素子（８１）についての再生動作とが行われる。つまり、第２動作では、第２吸着素子（８２）で空気が減湿されると同時に、第１吸着素子（８１）の吸着剤が再生される。
【００７８】
図２に示すように、第１仕切板（２０）では、第１右上開口（２３）と第１左下開口（２６）とが連通状態となり、残りの開口（２１，２２，２４，２５）が遮断状態となっている。この状態では、第１右上開口（２３）によって右上流路（５３）と室外側上部流路（４１）とが連通し、第１左下開口（２６）によって室外側下部流路（４２）と左下流路（５６）とが連通する。
【００７９】
第２仕切板（３０）では、第２左側開口（３２）と第２左上開口（３５）とが連通状態となり、残りの開口（３１，３３，３４，３６）が遮断状態となっている。この状態では、第２左側開口（３２）によって室内側下部流路（４７）と左側流路（５２）とが連通し、第２左上開口（３５）によって左上流路（５５）と室内側上部流路（４６）とが連通する。
【００８０】
左側シャッタ（６２）は閉鎖状態となり、右側シャッタ（６１）は開口状態となっている。この状態では、中央流路（５７）における再生熱交換器（１０２）の下側部分と右下流路（５４）とが、右側シャッタ（６１）を介して連通する。
【００８１】
ケーシング（１０）に取り込まれた第１空気は、室外側下部流路（４２）を通るときに第２熱交換器（１０４）を通過し、冷媒と熱交換して冷却される。この第１空気は、第１左下開口（２６）を通って左下流路（５６）へ流入する。一方、ケーシング（１０）に取り込まれた第２空気は、室内側下部流路（４７）から第２左側開口（３２）を通って左側流路（５２）へ流入する。
【００８２】
図５（ｂ）にも示すように、左下流路（５６）の第１空気は、第２吸着素子（８２）の調湿側通路（８５）へ流入する。この調湿側通路（８５）を流れる間に、第１空気に含まれる水蒸気が吸着剤に吸着される。第２吸着素子（８２）で減湿された第１空気は、左上流路（５５）へ流入する。
【００８３】
一方、左側流路（５２）の第２空気は、第２吸着素子（８２）の冷却側通路（８６）へ流入する。この冷却側通路（８６）を流れる間に、第２空気は、調湿側通路（８５）で第１空気の水蒸気が吸着剤に吸着される際に生じた吸着熱を吸熱する。つまり、第２空気は、冷却用流体として冷却側通路（８６）を流れる。吸着熱を奪った第２空気は、中央流路（５７）へ流入して再生熱交換器（１０２）を通過する。その際、再生熱交換器（１０２）では、第２空気が冷媒との熱交換によって加熱される。その後、第２空気は、中央流路（５７）から右下流路（５４）へ流入する。
【００８４】
第２吸着素子（８２）及び再生熱交換器（１０２）で加熱された第２空気は、第１吸着素子（８１）の調湿側通路（８５）へ導入される。この調湿側通路（８５）では、第２空気によって吸着剤が加熱され、吸着剤から水蒸気が脱離する。つまり、第１吸着素子（８１）の再生が行われる。吸着剤から脱離した水蒸気は、第２空気と共に右上流路（５３）へ流入する。
【００８５】
図２に示すように、左上流路（５５）へ流入した減湿後の第１空気は、第２左上開口（３５）を通って室内側上部流路（４６）へ送り込まれる。この第１空気は、室内側上部流路（４６）を流れる間に第１熱交換器（１０３）を通過し、冷媒との熱交換によって冷却される。減湿されて冷却された第１空気は、その後、室内側吹出口（１４）を通って室内へ供給される。
【００８６】
一方、右上流路（５３）へ流入した第２空気は、第１右上開口（２３）を通って室外側上部流路（４１）へ流入する。第２吸着素子（８２）の冷却と第１吸着素子（８１）の再生に利用された第２空気は、室外側吹出口（１６）を通って室外へ排出される。
【００８７】
（冷媒回路の動作）
除湿運転時の冷媒回路の動作について、冷媒の流れと空気の流れとを示す運転状態図である図８（ａ）を参照して説明する。この図８（ａ）は、除湿運転の第２動作に対応している。
【００８８】
除湿運転時、四方切換弁（１２０）は、図７において第１ポート（１２１）と第２ポート（１２２）が互いに連通して第３ポート（１２３）と第４ポート（１２４）が互いに連通する状態となる。また、第１電動膨張弁（１１１）は開度が運転条件に応じて適宜調節され、第２電動膨張弁（１１２）は全開状態とされる。
【００８９】
この状態で圧縮機（１０１）を運転すると、冷媒回路（１００）で冷媒が循環して冷凍サイクルが行われる。その際、冷媒回路（１００）では、再生熱交換器（１０２）が凝縮器となり、第１熱交換器（１０３）と第２熱交換器（１０４）の両方が蒸発器となる（図８（ａ）参照）。また、第１熱交換器（１０３）と第２熱交換器（１０４）は、冷媒の循環方向において互いに直列となっている。この運転動作時の冷媒回路（１００）では、上流側の蒸発器である第２熱交換器（１０４）において第１空気が冷却される。
【００９０】
具体的に、圧縮機（１０１）から吐出された冷媒は、再生熱交換器（１０２）へ送られる。再生熱交換器（１０２）へ流入した冷媒は、第２空気との熱交換を行い、第２空気に放熱して凝縮する。再生熱交換器（１０２）から出た冷媒は、順に第１電動膨張弁（１１１）、四方切換弁（１２０）、第２熱交換器（１０４）、ブリッジ回路（１０６）、第２電動膨張弁（１１２）、及び第１熱交換器（１０３）を通過する。
【００９１】
冷媒は、第１電動膨張弁（１１１）を通過する際に減圧されて第２熱交換器（１０４）へ流入し、第２空気との熱交換を行い、第２空気から吸熱して一部が蒸発する。その後、第１熱交換器（１０３）へ流入した冷媒は、さらに第１空気との熱交換を行い、第１空気から吸熱して蒸発する。第１熱交換器（１０３）で蒸発した冷媒は、四方切換弁（１２０）を通って圧縮機（１０１）へ吸入される。圧縮機（１０１）へ吸入された冷媒は、圧縮された後に吐出され、以上の循環動作を繰り返す。
【００９２】
《加湿運転》
図３，図４に示すように、加湿運転時において、給気ファン（９５）を駆動すると、室外空気が室外側吸込口（１３）を通じてケーシング（１０）内に取り込まれる。この室外空気は、第２空気として室外側下部流路（４２）へ流入する。一方、排気ファン（９６）を駆動すると、室内空気が室内側吸込口（１５）を通じてケーシング（１０）内に取り込まれる。この室内空気は、第１空気として室内側下部流路（４７）へ流入する。
【００９３】
この加湿運転時において、冷媒回路（１００）では、再生熱交換器（１０２）と第１熱交換器（１０３）が凝縮器となり、第２熱交換器（１０４）が蒸発器となる。この冷媒回路（１００）の動作については後述する。
【００９４】
（第１動作）
加湿運転の第１動作について、図３，図５を参照しながら説明する。この第１動作では、第１吸着素子（８１）についての吸着動作と、第２吸着素子（８２）についての再生動作とが行われる。つまり、第１動作では、第２吸着素子（８２）で空気が加湿され、第１吸着素子（８１）の吸着剤が水蒸気を吸着する。
【００９５】
図３に示すように、第１仕切板（２０）では、第１右側開口（２１）と第１右上開口（２３）とが連通状態となり、残りの開口（２２，２４，２５，２６）が遮断状態となっている。この状態では、第１右側開口（２１）によって室外側下部流路（４２）と右側流路（５１）とが連通し、第１右上開口（２３）によって右上流路（５３）と室外側上部流路（４１）とが連通する。
【００９６】
第２仕切板（３０）では、第２右下開口（３４）と第２左上開口（３５）とが連通状態となり、残りの開口（３１，３２，３３，３６）が遮断状態となっている。この状態では、第２右下開口（３４）によって室内側下部流路（４７）と右下流路（５４）とが連通し、第２左上開口（３５）によって左上流路（５５）と室内側上部流路（４６）とが連通する。
【００９７】
右側シャッタ（６１）は閉鎖状態となり、左側シャッタ（６２）は開口状態となっている。この状態では、中央流路（５７）における再生熱交換器（１０２）の下側部分と左下流路（５６）とが、左側シャッタ（６２）を介して連通する。
【００９８】
ケーシング（１０）に取り込まれた第１空気は、室内側下部流路（４７）から第２右下開口（３４）を通って右下流路（５４）へ流入する。一方、ケーシング（１０）に取り込まれた第２空気は、室外側下部流路（４２）を通るときに第２熱交換器（１０４）を通過し、冷媒と熱交換して冷却される。この第２空気は、室外側下部流路（４２）から第１右側開口（２１）を通って右側流路（５１）へ流入する。
【００９９】
図５（ａ）にも示すように、右下流路（５４）の第１空気は、第１吸着素子（８１）の調湿側通路（８５）へ流入する。この調湿側通路（８５）を流れる間に、第１空気に含まれる水蒸気が吸着剤に吸着される。第１吸着素子（８１）で水分を奪われた第１空気は、右上流路（５３）へ流入する。
【０１００】
一方、右側流路（５１）の第２空気は、第１吸着素子（８１）の冷却側通路（８６）へ流入する。この冷却側通路（８６）を流れる間に、第２空気は、調湿側通路（８５）で第１空気の水蒸気が吸着剤に吸着される際に生じた吸着熱を吸熱する。つまり、第２空気は、冷却用流体として冷却側通路（８６）を流れる。吸着熱を奪った第２空気は、中央流路（５７）へ流入して再生熱交換器（１０２）を通過する。その際、再生熱交換器（１０２）では、第２空気が冷媒との熱交換によって加熱される。その後、第２空気は、中央流路（５７）から左下流路（５６）へ流入する。
【０１０１】
第１吸着素子（８１）及び再生熱交換器（１０２）で加熱された第２空気は、第２吸着素子（８２）の調湿側通路（８５）へ導入される。この調湿側通路（８５）では、第２空気によって吸着剤が加熱され、吸着剤から水蒸気が脱離する。つまり、第２吸着素子（８２）の再生が行われる。そして、吸着剤から脱離した水蒸気が第２空気に付与され、第２空気が加湿される。第２吸着素子（８２）で加湿された第２空気は、その後に左上流路（５５）へ流入する。
【０１０２】
図３に示すように、左上流路（５５）へ流入した第２空気は、第２左上開口（３５）を通って室内側上部流路（４６）へ流入する。この第２空気は、室内側上部流路（４６）を流れる間に第１熱交換器（１０３）を通過し、該第１熱交換器（１０３）を流れる冷媒と熱交換して加熱される。そして、第２空気は、室内側吹出口（１４）を通って室内へ供給される。
【０１０３】
一方、右上流路（５３）へ流入した第１空気は、第１右上開口（２３）を通って室外側上部流路（４１）へ送り込まれる。その後、第１空気は、室外側吹出口（１６）を通って室外へ排出される。
【０１０４】
（第２動作）
加湿運転の第２動作について、図４，図５を参照しながら説明する。この第２動作では、第１動作時とは逆に、第２吸着素子（８２）についての吸着動作と、第１吸着素子（８１）についての再生動作とが行われる。つまり、この第２動作では、第１吸着素子（８１）で空気が加湿され、第２吸着素子（８２）の吸着剤が水蒸気を吸着する。
【０１０５】
図４に示すように、第１仕切板（２０）では、第１左側開口（２２）と第１左上開口（２５）とが連通状態となり、残りの開口（２１，２３，２４，２６）が遮断状態となっている。この状態では、第１左側開口（２２）によって室外側下部流路（４２）と左側流路（５２）とが連通し、第１左上開口（２５）によって左上流路（５５）と室外側上部流路（４１）とが連通する。
【０１０６】
第２仕切板（３０）では、第２右上開口（３３）と第２左下開口（３６）とが連通状態となり、残りの開口（３１，３２，３４，３５）が遮断状態となっている。この状態では、第２右上開口（３３）によって右上流路（５３）と室内側上部流路（４６）とが連通し、第２左下開口（３６）によって室内側下部流路（４７）と左下流路（５６）とが連通する。
【０１０７】
左側シャッタ（６２）は閉鎖状態となり、右側シャッタ（６１）は開口状態となっている。この状態では、中央流路（５７）における再生熱交換器（１０２）の下側部分と右下流路（５４）とが、右側シャッタ（６１）を介して連通する。
【０１０８】
ケーシング（１０）に取り込まれた第１空気は、室内側下部流路（４７）から第２左下開口（３６）を通って左下流路（５６）へ流入する。一方、ケーシング（１０）に取り込まれた第２空気は、室外側下部流路（４２）を通るときに第２熱交換器（１０４）を通過し、冷媒と熱交換して冷却される。この第１空気は、室外側下部流路（４２）から第１左側開口（２２）を通って左側流路（５２）へ流入する。
【０１０９】
図５（ｂ）にも示すように、左下流路（５６）の第１空気は、第２吸着素子（８２）の調湿側通路（８５）へ流入する。この調湿側通路（８５）を流れる間に、第１空気に含まれる水蒸気が吸着剤に吸着される。第２吸着素子（８２）で水分を奪われた第１空気は、左上流路（５５）へ流入する。
【０１１０】
一方、左側流路（５２）の第２空気は、第２吸着素子（８２）の冷却側通路（８６）へ流入する。この冷却側通路（８６）を流れる間に、第２空気は、調湿側通路（８５）で第１空気の水蒸気が吸着剤に吸着される際に生じた吸着熱を吸熱する。つまり、第２空気は、冷却用流体として冷却側通路（８６）を流れる。吸着熱を奪った第２空気は、中央流路（５７）へ流入して再生熱交換器（１０２）を通過する。その際、再生熱交換器（１０２）では、第２空気が冷媒との熱交換によって加熱される。その後、第２空気は、中央流路（５７）から右下流路（５４）へ流入する。
【０１１１】
第２吸着素子（８２）及び再生熱交換器（１０２）で加熱された第２空気は、第１吸着素子（８１）の調湿側通路（８５）へ導入される。この調湿側通路（８５）では、第２空気によって吸着剤が加熱され、吸着剤から水蒸気が脱離する。つまり、第１吸着素子（８１）の再生が行われる。そして、吸着剤から脱離した水蒸気が第２空気に付与され、第２空気が加湿される。第１吸着素子（８１）で加湿された第２空気は、その後に右上流路（５３）へ流入する。
【０１１２】
図４に示すように、右上流路（５３）へ流入した第２空気は、第２右上開口（３３）を通って室内側上部流路（４６）へ流入する。この第２空気は、室内側上部流路（４６）を流れる間に第１熱交換器（１０３）を通過し、該第１熱交換器（１０３）を流れる冷媒と熱交換して加熱される。そして、第２空気は、室内側吹出口（１４）を通って室内へ供給される。
【０１１３】
一方、左上流路（５５）へ流入した第１空気は、第１左上開口（２５）を通って室外側上部流路（４１）へ送り込まれる。その後、第１空気は、室外側吹出口（１６）を通って室外へ排出される。
【０１１４】
（冷媒回路の動作）
加湿運転時の冷媒回路の動作について、冷媒の流れと空気の流れとを示す運転状態図である図８（ｂ）を参照して説明する。この図８（ｂ）は、加湿運転の第２動作に対応している。
【０１１５】
加湿運転時、四方切換弁（１２０）は、第１ポート（１２１）と第４ポート（１２４）が互いに連通して第２ポート（１２２）と第３ポート（１２３）が互いに連通する状態となる。また、第１電動膨張弁（１１１）は全開状態とされ、第２電動膨張弁（１１２）は開度が運転条件に応じて適宜調節される。
【０１１６】
この状態で圧縮機（１０１）を運転すると、冷媒回路（１００）で冷媒が循環して冷凍サイクルが行われる。その際、冷媒回路（１００）では、再生熱交換器（１０２）と第１熱交換器（１０３）の両方が凝縮器となり、第２熱交換器（１０４）が蒸発器となる（図８（ｂ）参照）。この運転動作時の冷媒回路（１００）では、第２熱交換器（１０４）において第２空気が冷却される。
【０１１７】
具体的に、圧縮機（１０１）から吐出された冷媒は、再生熱交換器（１０２）へ送られる。再生熱交換器（１０２）へ流入した冷媒は、第２空気との熱交換を行い、第２空気に放熱してその一部が凝縮する。再生熱交換器（１０２）から出た冷媒は、順に第１電動膨張弁（１１１）と四方切換弁（１２０）を通って第１熱交換器（１０３）へ送られる。第１熱交換器（１０３）へ流入した冷媒は、第２空気との熱交換を行い、第２空気に放熱して凝縮する。
【０１１８】
第１熱交換器（１０３）から出た冷媒は、順にブリッジ回路（１０６）の第１逆止弁（１５１）とレシーバ（１０５）を通って第２電動膨張弁（１１２）へ送られる。この冷媒は、第２電動膨張弁（１１２）を通過する際に減圧され、その後にブリッジ回路（１０６）の第３逆止弁（１５３）を通って第２熱交換器（１０４）へ送られる。第２熱交換器（１０４）へ流入した冷媒は、第２空気との熱交換を行い、第２空気から吸熱して蒸発する。第２熱交換器（１０４）で蒸発した冷媒は、四方切換弁（１２０）を通って圧縮機（１０１）へ吸入される。圧縮機（１０１）へ吸入された冷媒は、圧縮された後に吐出され、以上の循環動作を繰り返す。
【０１１９】
なお、ここでは、第２運転動作時において、再生熱交換器（１０２）と第１熱交換器（１０３）の両方を凝縮器としたが、再生熱交換器（１０２）を凝縮器として第１熱交換器（１０３）を過冷却器とすることも可能である。この場合、再生熱交換器（１０２）では流入したガス冷媒の全てが凝縮し、第１熱交換器（１０３）へ送られる冷媒は液冷媒だけとなる。そして、第１熱交換器（１０３）では、流入した液冷媒が第２空気へ放熱して過冷却状態となる。
【０１２０】
この第２運転動作時において、第１熱交換器（１０３）では、吸着素子（８１，８２）を通過後の第２空気に対して冷媒が放熱する。つまり、第２空気は、吸着素子（８１，８２）で加湿され、更に第１熱交換器（１０３）で加熱されてから室内へ供給される。
【０１２１】
また、この第２運転動作時において、冷媒回路（１００）を循環する冷媒は、再生熱交換器（１０２）と第１熱交換器（１０３）の両方で放熱した後に第２熱交換器（１０４）へ送られる。従って、蒸発器となる第２熱交換器（１０４）に対しては、よりエンタルピの低い冷媒が送り込まれる。
【０１２２】
−実施形態１の効果−
この実施形態１によれば、調湿側通路（８５）と冷却側通路（８６）とを有する吸着素子（８１，８２）を用いた調湿装置において、除湿運転時には、調湿側通路（８５）へ流入する第１空気を予め冷媒回路（１００）の蒸発器である第２熱交換器（１０４）で冷却するようにしている。
【０１２３】
ここで、第１空気を冷却する効果について、図５８の空気線図を参照して説明する。なお、この空気線図は、空気の状態変化を概念的に表したもので、実際の除湿量や加湿量、あるいは温度変化などを正確に表すものではない。
【０１２４】
まず、従来の調湿装置について考えると、除湿運転時には、図５８（ａ）に示すように、減湿対象空気であるＡ点の第１空気（室外空気）は、一方の吸着素子（８１，８２）を通過する際に絶対湿度が低下するとともに温度が上昇してＢ点へ変化する。そして、Ｂ点の空気が冷媒回路の蒸発器（１０３，１０４）で絶対湿度が一定のままＣ点まで冷却され、室内に供給される。一方、吸着素子を再生するためのＤ点の第２空気（室内空気）は、一方の吸着素子（８１，８２）の吸着熱を吸熱してＥ点まで加熱され、さらに冷媒回路の凝縮器である再生熱交換器（１０２）でＦ点まで加熱される。この第２空気は他方の吸着素子（８２，８１）を通過する際に該吸着素子（８２，８１）を再生し、その際に絶対湿度が上昇するとともに温度が低下してＧ点に変化し、室外に排出される。
【０１２５】
また、空気の状態変化は加湿時にもほぼ同様であり、図５８（ｂ）に示すように、Ａ点の第１空気（例えば室内空気）は、一方の吸着素子（８１，８２）を通過する際にＡ点からＢ点に変化し、室外に放出される。一方、加湿対象空気であるＤ点の第２空気（室外空気）は、一方の吸着素子（８１，８２）と再生熱交換器（１０２）でＦ点まで加熱される。この第２空気は他方の吸着素子（８２，８１）を通過する際に該吸着素子（８２，８１）を再生し、その際に加湿されてＧ点に変化し、室内に供給される。
【０１２６】
ここで、除湿運転時に、吸着素子（８１，８２）の再生側は、室内空気が室外空気の相対湿度線（等湿度線）φ１を越えるほどには状態変化しない。つまり、室内空気は、Ｇ点を最大でも室外空気のＡ点が通る相対湿度線φ１までしか変化させることができず、この室外空気の相対湿度線φ１上のポイントＧ１が再生の限界になっている。
【０１２７】
また、逆に吸着側は、室外空気が最大でも室内空気の加熱後のＦ点を通る相対湿度線φ２上のポイントまでしか水分を吸着することができず、室内空気の加熱後のＦ点を通る相対湿度線φ２上のポイントが吸着限界になる。
【０１２８】
以上のことから、減湿量及び加湿量は、両相対湿度線φ１，φ２の間でしか操作できないことになる。したがって、従来の調湿装置では、第１空気である室外空気の相対湿度がもともと低い場合は自ずと再生限界が低くなるので、水分の放出量（再生量）が少なくなってしまう。そして、水分放出量が少ないと吸着量も少なくなり、除湿性能が低下する。このことは加湿時にも同様で、第１空気である室内空気の相対湿度が低い場合は、吸着素子の再生限界が低いために、水分の放出量、つまり加湿量が少なくなってしまう。
【０１２９】
これに対して、本実施形態１によれば、上記吸着素子（８１，８２）へ流入する第１空気を冷却する冷却器として冷媒回路の蒸発器（１０３，１０４）を用いたことにより、吸着素子（８１，８２）の再生限界を、変化した相対湿度線φ３上のＧ２点まで高め、水分の放出量及び吸着量を多くすることができる。この結果、装置の除加湿性能を高められる。
【０１３０】
次に、この実施形態１の加湿運転時には、本発明の特徴として、冷却側通路（８５）へ流入する第２空気を予め冷媒回路（１００）の蒸発器である第２熱交換器（１０４）で冷却するようにしている。したがって、第２空気による冷却効果を高め、吸着効率を上げることができる。このため、十分な除湿量及び加湿量を確保でき、装置の大型化も防止できる。
【０１３１】
−実施形態１の変形例−
（変形例１）
上記実施形態１では、除湿運転時に第１熱交換器（１０３）と第２熱交換器（１０４）をいずれも蒸発器にするとともに、第２熱交換器（１０４）が第１熱交換器（１０３）の上流側になるように接続し、吸着側の第１空気をこの上流側の第２熱交換器（１０４）で冷却するようにしているが、図９（ａ）に示すように第１熱交換器（１０３）を上流側の蒸発器に、第２熱交換器（１０４）を下流側の蒸発器にして、吸着側の第１空気を下流側の第２熱交換器（１０４）で冷却するようにしてもよい。
【０１３２】
また、加湿運転時には、上記実施形態１の図８（ｂ）において、再生熱交換器（１０２）と第１熱交換器（１０３）とを凝縮器にするとともに、再生熱交換器（１０２）が第１熱交換器（１０３）の上流側になるように接続しているのに対して、図９（ｂ）に示すように再生熱交換器（１０２）を第１熱交換器（１０３）の下流側の凝縮器にしてもよい。
【０１３３】
この場合、図７の冷媒回路（１００）では図９（ａ）の状態と図９（ｂ）の状態とを切り換えることはできないが、図７の冷媒回路（１００）を適宜変更し、四方切換弁（１２０）、ブリッジ回路（１０６）、電動膨張弁（１１２）を図９（ａ），（ｂ）に対応した組み合わせにするか、必要であればさらに電磁弁などを適宜組み合わせるとよい。
【０１３４】
この場合の冷媒回路（１００）の詳細は省略するが、この例でも実施形態１と同様の効果を奏することができる。つまり、加湿運転時に冷却側通路（８６）へ流入する第２空気を冷媒回路の蒸発器で冷却するようにしているので、吸着素子（８１，８２）における冷却効果を高めることができる。したがって、十分な除湿量及び加湿量を確保でき、装置の大型化も防止できる。
【０１３５】
また、除湿運転時には第１空気を冷却するようにしているので、吸着素子（８１，８２）の再生限界を高め、十分な除加湿量を確保できる。
【０１３６】
（変形例２）
変形例２は、冷媒回路（１００）の構成をさらに変更した例である。
【０１３７】
図１０（ａ）に示すように、除湿運転時には、第１熱交換器（１０３）と第２熱交換器（１０４）を蒸発器にするとともに、これらの蒸発器を並列に接続している。このように構成すると、圧縮機（１０１）から吐出された冷媒は、再生熱交換器（１０２）で凝縮した後、図示しない電動膨張弁で減圧され、さらに分岐して両蒸発器（１０３，１０４）で蒸発した後、圧縮機（１０１）に吸入されて再度圧縮される。
【０１３８】
この場合、一方の蒸発器である第２熱交換器（１０４）で吸着用の第１空気を冷却することにより、実施形態１と同様に吸着素子（８１，８２）の再生限界を上げて除加湿性能を高めることができる。
【０１３９】
加湿運転時には、図１０（ｂ）に示すように、第１熱交換器（１０３）を凝縮器に、第２熱交換器（１０４）を蒸発器にするとともに、再生熱交換器（１０２）と第１熱交換器（１０３）とを並列にしている。このように構成すると、圧縮機（１０１）から吐出された冷媒は、再生熱交換器（１０２）及び第１熱交換器（１０３）で凝縮した後、合流して図示しない電動膨張弁で減圧され、さらに蒸発器である第２熱交換器（１０４）で蒸発した後、圧縮機（１０１）に吸入されて再度圧縮される。
【０１４０】
この場合、蒸発器である第２熱交換器（１０４）で冷却用の第２空気を冷却することにより、実施形態１と同様に冷却効果を高めて吸着効率を向上させることができる。
【０１４１】
なお、この場合の冷媒回路の具体的な構成については省略するが、四路切換弁や電磁弁、逆止弁、ブリッジ回路などを適宜組み合わせて回路を構築すればよい。
【０１４２】
（変形例３）
この変形例３は、加湿運転時の変形例である。具体的には、上記実施形態１の図８（ｂ）では加湿運転時に第１熱交換器（１０３）を凝縮器に、第２熱交換器（１０４）を蒸発器にした例について説明したが、加湿運転時には、第１熱交換器（１０３）と第２熱交換器（１０４）の両方を蒸発器にして運転を行うようにしてもよい。
【０１４３】
その場合の運転状態について図１１を参照して説明する。この例では、２つの蒸発器である第１熱交換器（１０３）と第２熱交換器（１０４）が直列に接続され、かつ第１熱交換器（１０３）が第２熱交換器（１０４）の上流側に配置されている。
【０１４４】
この変形例３の調湿装置における空気の流れ自体は、図３，図４，図８（ｂ）で説明したのと同様であり、異なる点は、実施形態１において再生後の第２空気が図８（ｂ）に示すように第１熱交換器（１０３）で加熱されているのに対して、図１１に示すように再生後の第２空気が第１熱交換器（１０３）で冷却される点である。
【０１４５】
この変形例３において、第２空気は、まず第２熱交換器（１０４）で冷却された後、吸着素子（８１，８２）及び再生熱交換器（１０２）で加熱され、さらに吸着素子（８２，８１）で加湿された後に第１熱交換器（１０３）で冷却されて室内に供給される。
【０１４６】
第１空気である室内空気は吸着素子（８１，８２）に水分を与えた後に室外へ排出される。この点は実施形態１と同様である。
【０１４７】
このように構成すると、加湿後に冷却した空気を室内に供給できるので、弱冷房を行いながら室内を加湿できる。この運転は、例えば生花店などで夏期に加湿を行うような場合に適している。
【０１４８】
また、一般に、夏期には通常は室外空気の温度が高いために、加湿運転を行おうとした場合に吸着素子（８１，８２）における冷却効果が極端に小さくなるかほとんど得られなくなる。したがって、吸着側の空気（第１空気）の温度が吸着熱で比較的高くなってしまい、該空気の相対湿度が低下して充分な減湿を行うのが困難になる。これに対して、この変形例３では、吸着素子（８１，８２）に冷却用流体として供給する第２空気（室外空気）を冷却することにより、夏期であっても冷却効果を高めながら加湿運転を行うことが可能となる。
【０１４９】
また、冷却効果を高めることで吸着素子（８１，８２）における水蒸気の吸着量を増やすことができるので、吸着素子及び装置の大型も防止できる。
【０１５０】
（変形例４）
図１２に示す変形例４は、冷媒回路における冷媒の流れを図８から図１１とは変更した例である。この変形例４は、加湿運転時の他の変形例であり、第１熱交換器（１０３）と第２熱交換器（１０４）の両方を蒸発器にして運転を行う点と、２つの蒸発器である第１熱交換器（１０３）と第２熱交換器（１０４）とが直列に接続されている点は変形例３と同様であるが、第２熱交換器（１０４）が第１熱交換器（１０３）の上流側の蒸発器になる点が変形例３とは異なっている。
【０１５１】
この変形例４においても、空気の流れ自体は、図３，図４，図８（ｂ）で説明したのと同様である。また、吸着素子（８１，８２）の再生後の第２空気が第１熱交換器（１０３）で冷却される点は変形例３と同様である。
【０１５２】
具体的には、第２空気は、まず第２熱交換器（１０４）で冷却された後、吸着素子（８１，８２）及び再生熱交換器（１０２）で加熱され、さらに吸着素子（８２，８１）で加湿された後に第１熱交換器（１０３）で冷却されて室内に供給される。第１空気である室内空気は吸着素子（８１，８２）に水分を与えた後に室外へ排出される。
【０１５３】
このように構成すると、上記変形例３と同様に、加湿後に冷却した空気を室内に供給できるので、夏期であっても加湿運転を行うことが可能となる。したがって、例えば生花店などで夏期に加湿を行うような場合に適している。また、第２空気を予め冷却して冷却効果を高めることで吸着素子（８１，８２）における水蒸気の吸着量を増やすことができるので、吸着素子及び装置の大型も防止できる。
【０１５４】
（変形例５）
図１３に示す変形例５は、冷媒回路の構成を図８から図１２とは変更した例である。この変形例５は、加湿運転時の変形例であり、第１熱交換器（１０３）と第２熱交換器（１０４）の両方を蒸発器にして運転を行う点は上記変形例３，４と同様であるが、２つの蒸発器である第１熱交換器（１０３）と第２熱交換器（１０４）とが並列に接続されている点が変形例３，４と異なっている。
【０１５５】
この変形例５においても、空気の流れ自体は、図３，図４，図８（ｂ）で説明したのと同様である。また、吸着素子（８１，８２）の再生後の第２空気が第１熱交換器（１０３）で冷却される点は変形例３，４と同様である。
【０１５６】
具体的には、第２空気は、まず第２熱交換器（１０４）で冷却された後、吸着素子（８１，８２）及び再生熱交換器（１０２）で加熱され、さらに吸着素子（８２，８１）で加湿された後に第１熱交換器（１０３）で冷却されて室内に供給される。第１空気である室内空気は吸着素子（８１，８２）に水分を与えた後に室外へ排出される。
【０１５７】
このように構成すると、上記変形例３，４と同様に、加湿後に冷却した空気を室内に供給できるので、夏期であっても加湿運転を行うことが可能となる。したがって、例えば生花店などで夏期に加湿を行うような場合に適している。また、第２空気を予め冷却して冷却効果を高めることで吸着素子（８１，８２）における水蒸気の吸着量を増やすことができるので、吸着素子及び装置の大型も防止できる。
【０１５８】
【発明の実施の形態２】
本発明の実施形態２は、第１熱交換器（１０３）と第２熱交換器（１０４）を実施形態１とは異なる配置にした例である。なお、この実施形態２の第１熱交換器（１０３）と第２熱交換器（１０４）の冷却（または加湿）対象空気は実施形態１とは異なるが、便宜上、各熱交換器（１０３，１０４）に実施形態１と同一名称及び同一符号を用いることとする。この点は、実施形態３以降についても同様である。
【０１５９】
この実施形態２では、図１４〜図１７に示すように、第１熱交換器（１０３）と第２熱交換器（１０４）は、いずれも室外側パネル（１１）と第１仕切板（２０）の間の空間に配置されている。具体的には、第１熱交換器（１０３）が室外側下部流路（４２）に配置され、第２熱交換器（１０４）が室外側上部流路（４１）に配置されている。
【０１６０】
この実施形態２において、第１熱交換器（１０３）は、室外からケーシングに吸入された空気と冷媒とを熱交換させるための熱交換器になっており、第２熱交換器（１０４）は、室外へ排出される空気と冷媒とを熱交換させるための熱交換器になっている。
【０１６１】
この調湿装置では、その他の部分は実施形態１と同様に構成されている。したがって、ここでは各部の具体的な説明は省略する。また、冷媒回路の具体的な構成は実施形態１とは異なるが、その回路構成についても省略する。なお、冷媒の流れについては下記の「運転動作」において図１８〜図２０を用いて説明する。
【０１６２】
−運転動作−
次に、運転動作について説明する。
【０１６３】
《除湿運転》
除湿運転時において、冷媒回路（１００）では、再生熱交換器（１０２）が凝縮器となり、第１熱交換器（１０３）及び第２熱交換器（１０４）の両方が蒸発器となる。これら２つの蒸発器のうち、この除湿運転時には第１熱交換器（１０３）が第２熱交換器（１０４）の上流側に位置するように回路構成されている。
【０１６４】
除湿運転時の装置の動きそのものは上記実施形態１と同じであり、図１４の第１動作と図１５の第２動作が交互に行われる。そして、第１動作では、第１吸着素子（８１）についての吸着動作と、第２吸着素子（８２）についての再生動作とが行われる。つまり、第１動作では、第１吸着素子（８１）で空気が減湿されると同時に、第２吸着素子（８２）の吸着剤が再生される。また、第２動作では、第１動作時とは逆に、第２吸着素子（８２）についての吸着動作と、第１吸着素子（８１）についての再生動作とが行われる。つまり、第２動作では、第２吸着素子（８２）で空気が減湿されると同時に、第１吸着素子（８１）の吸着剤が再生される。
【０１６５】
この除湿運転時、第１仕切板（２０）の各開口（２１〜２６）及び第２仕切板（３０）の各開口（３１〜３６）の開閉の状態と、右側シャッタ（６１）及び左側シャッタ（６２）の開閉の状態は、第１動作及び第２動作の両方とも、実施形態１における除湿運転時の状態と同じであり、ケーシング（１０）内での空気の流れそのものは、図１４，図１５に示すように図１，２の実施形態１と同じである。
【０１６６】
除湿運転時には、図１４，図１５，図１８（ａ）に示すように、ケーシング（１０）に取り込まれた第１空気は、まず第１熱交換器（１０３）を通過し、冷媒と熱交換して冷却される。冷却された第１空気は、一方の吸着素子（８１，８２）の調湿側通路（８５）へ流入する。この調湿側通路（８５）を流れる間に、第１空気に含まれる水蒸気が吸着剤に吸着され、第１空気が減湿される。減湿された第１空気は、その後、室内に供給される。
【０１６７】
一方、ケーシング（１０）に取り込まれた第２空気は、上記一方の吸着素子（８１，８２）の冷却側通路（８６）へ流入する。この冷却側通路（８６）を流れる間に、第２空気は、調湿側通路（８５）で第１空気の水蒸気が吸着剤に吸着される際に生じた吸着熱を吸熱し、加熱される。第２空気は、さらに再生熱交換器（１０２）を通過する際に冷媒との熱交換によって加熱される。
【０１６８】
加熱された第２空気は、他方の吸着素子（８２，８１）の調湿側通路（８５）へ導入され、第２空気によって吸着剤が加熱されて吸着剤から水蒸気が脱離する。つまり、第２吸着素子（８２）の再生が行われる。この第２空気は、次いで第２熱交換器（１０４）を通過し、冷媒との熱交換によって冷媒を蒸発させ、室外へ排出される。
【０１６９】
除湿運転時には、空気の温度と湿度を以上のように操作しつつ、第１動作と第２動作を交互に切り換えることで連続運転が行われる。
【０１７０】
なお、第１熱交換器（１０３）で冷媒が中間圧で蒸発するようにしておくと、蒸発温度を若干高めにすることでドレン水の発生を抑えられる。
【０１７１】
《加湿運転》
加湿運転時においても、冷媒回路（１００）では、再生熱交換器（１０２）が凝縮器となり、第１熱交換器（１０３）及び第２熱交換器（１０４）の両方が蒸発器となる。これら２つの蒸発器のうち、この加湿運転時には第１熱交換器（１０３）が第２熱交換器（１０４）の下流側に位置するように回路構成されている。
【０１７２】
加湿運転時の装置の動きそのものも上記実施形態１と同じであり、図１６の第１動作と図１７の第２動作が交互に行われる。そして、第１動作では、第１吸着素子（８１）についての吸着動作と、第２吸着素子（８２）についての再生動作とが行われる。つまり、第１動作では、第２吸着素子（８２）で空気が加湿され、第１吸着素子（８１）の吸着剤が水蒸気を吸着する。また、第２動作では、第１動作時とは逆に、第２吸着素子（８２）についての吸着動作と、第１吸着素子（８１）についての再生動作とが行われる。つまり、この第２動作では、第１吸着素子（８１）で空気が加湿され、第２吸着素子（８２）の吸着剤が水蒸気を吸着する。
【０１７３】
この加湿運転時、第１仕切板（２０）の各開口（２１〜２６）及び第２仕切板（３０）の各開口（３１〜３６）の開閉の状態と、右側シャッタ（６１）及び左側シャッタ（６２）の開閉の状態は、第１動作及び第２動作の両方とも、実施形態１における加湿運転時の状態と同じである。したがって、ケーシング（１０）内での空気の流れそのものも、図１６，図１７に示すように図３，４の実施形態１と同じである。
【０１７４】
加湿運転時には、図１６，図１７，図１８（ａ）に示すように、ケーシング（１０）に取り込まれた第１空気は、温度が操作されずに一方の吸着素子（８１，８２）の調湿側通路（８５）へ流入する。第１空気が調湿側通路（８５）を流れる間に、該第１空気に含まれる水蒸気が吸着剤に吸着され、第１空気が減湿される。減湿された第１空気は、第２熱交換器（１０４）を通過して冷媒を蒸発させ、その後室外に排出される。
【０１７５】
一方、ケーシング（１０）に取り込まれた第２空気は、まず第１熱交換器（１０３）で冷媒と熱交換して冷却され、上記一方の吸着素子（８１，８２）の冷却側通路（８６）へ流入する。この冷却側通路（８６）を流れる間に、第２空気は、調湿側通路（８５）で第１空気の水蒸気が吸着剤に吸着される際に生じた吸着熱を吸熱し、加熱される。第２空気は、さらに再生熱交換器（１０２）を通過する際に冷媒との熱交換によって加熱される。
【０１７６】
加熱された第２空気は、他方の吸着素子（８２，８１）の調湿側通路（８５）へ導入され、第２空気によって吸着剤が加熱されて吸着剤から水蒸気が脱離する。つまり、第２吸着素子（８２）の再生が行われ、同時に第２空気が加湿されて室内へ供給される。
【０１７７】
この加湿運転時には、空気の温度と湿度を以上のように操作しつつ、第１動作と第２動作を交互に切り換えることで連続運転が行われる。
【０１７８】
なお、この場合も第２熱交換器（１０４）で冷媒が中間圧で蒸発するようにしておくと、蒸発温度を若干高めにすることで熱交換器への着霜を防止できる。
【０１７９】
−実施形態２の効果−
この実施形態２においても、調湿側通路（８５）と冷却側通路（８６）とを有する吸着素子（８１，８２）を用いた調湿装置において、除湿運転時には、調湿側通路（８５）へ流入する第１空気を予め冷媒回路（１００）の蒸発器である第１熱交換器（１０３）で冷却するようにしている。
【０１８０】
したがって、第１空気の相対湿度を高めて吸着素子に供給することができるので、吸着素子（８１，８２）の再生限界が高められ、水分の放出量及び吸着量を多くすることができる。この結果、装置の除加湿性能を高められる。
【０１８１】
また、加湿運転時には、冷却側通路へ流入する第２空気を予め冷媒回路（１００）の蒸発器である第１熱交換器（１０３）で冷却するようにしているので、冷却用流体である第２空気による冷却効果を高めることができる。したがって、十分な除湿量及び加湿量を確保でき、装置の大型化も防止できる。
【０１８２】
−実施形態２の変形例−
（変形例１）
上記実施形態２では、第１熱交換器（１０３）と第２熱交換器（１０４）をいずれも蒸発器にするとともに、図１８（ａ）に示す除湿運転時に第１熱交換器（１０３）を第２熱交換器（１０４）の上流側にして、吸着側の第１空気を上流側の第１熱交換器（１０３）で冷却するようにしているが、図１９（ａ）に示すように第１熱交換器（１０３）を下流側の蒸発器に、第２熱交換器（１０４）を上流側の蒸発器にして、吸着側の第１空気を下流側の第１熱交換器（１０３）で冷却するようにしてもよい。
【０１８３】
また、上記実施形態２において、図１８（ｂ）に示す加湿運転時には、第１熱交換器（１０３）を第２熱交換器（１０４）の下流側にして、冷却側の第２空気をこの下流側の第１熱交換器（１０３）で冷却するようにしているが、図１９（ｂ）に示すように第１熱交換器（１０３）を上流側の蒸発器に、第２熱交換器（１０４）を下流側の蒸発器にして、冷却側の第２空気を上流側の第１熱交換器（１０３）で冷却するようにしてもよい。
【０１８４】
この構成における空気の流れや冷媒の流れの詳細は省略するが、この場合でも実施形態２と同様の効果を奏することができる。つまり、除湿運転時には吸着側の第１空気を冷媒回路の蒸発器で冷却するようにしているので、吸着素子（８１，８２）の再生限界を高めることができる。また、加湿運転時には冷却側通路（８６）へ流入する第２空気を冷媒回路の蒸発器で冷却するようにしているので、吸着素子（８１，８２）における冷却効果を高めることができる。したがって、十分な除湿量及び加湿量を確保でき、装置の大型化も防止できる。
【０１８５】
（変形例２）
変形例２は、冷媒回路（１００）の構成をさらに変更した例である。
【０１８６】
この冷媒回路（１００）は、図２０（ａ），（ｂ）に示すように第１熱交換器（１０３）と第２熱交換器（１０４）の両方が蒸発器であり、これらの蒸発器が並列に接続されている。このように構成すると、圧縮機（１０１）から吐出された冷媒は、再生熱交換器（１０２）で凝縮した後に分岐して、図示しない電動膨張弁で減圧され、さらに両蒸発器（１０３，１０４）で蒸発した後に圧縮機（１０１）に吸入されて再度圧縮される。
【０１８７】
除湿運転時と加湿運転時の第１空気及び第２空気の流れと、第１，第２空気に対する第１，第２熱交換器（１０３，１０４）の作用は図１８，図１９の例と同じである。
【０１８８】
したがって、除湿運転時には、一方の蒸発器である第１熱交換器（１０３）で吸着用の第１空気を冷却することにより、上述と同様に再生限界を上げて除加湿性能を高めることができる。また、加湿運転時には、一方の蒸発器である第１熱交換器（１０３）で冷却用の第２空気を冷却することにより、上述と同様に冷却効果を高めて吸着効率を向上させることができる。したがって、十分な除湿両及び加湿量を確保でき、装置の大型化も防止できる。
【０１８９】
【発明の実施の形態３】
本発明の実施形態３は、第１熱交換器（１０３）と第２熱交換器（１０４）の配置を実施形態１，２とは異なるようにした例である。
【０１９０】
この実施形態３では、図２１〜図２４に示すように、第１熱交換器（１０３）は室外側パネル（１１）と第１仕切板（２０）の間の空間に配置され、第２熱交換器（１０４）は室内側パネル（１２）と第２仕切板（３０）の間の空間に配置されている。具体的には、第１熱交換器（１０３）は室外側上部流路（４１）に配置され、第２熱交換器（１０４）は室内側下部流路（４７）に配置されている。
【０１９１】
この実施形態３において、第１熱交換器（１０３）は室外へ排出される空気と冷媒とを熱交換させるための熱交換器になっており、第２熱交換器（１０４）は室内からケーシング（１０２）に吸引された空気と冷媒とを熱交換させるための熱交換器になっている。
【０１９２】
この調湿装置では、その他の部分は実施形態１，２と同様に構成されている。したがって、ここでは各部の具体的な説明は省略する。また、冷媒回路については、下記の「運転動作」において図２５を用いて主に冷媒の流れを説明する。
【０１９３】
−運転動作−
次に、運転動作について説明する。
【０１９４】
《除湿運転》
除湿運転時において、冷媒回路（１００）では、再生熱交換器（１０２）が凝縮器となり、第１熱交換器（１０３）及び第２熱交換器（１０４）の両方が蒸発器となる。この除湿運転時には、これら２つの蒸発器のうち、第１熱交換器（１０３）が第２熱交換器（１０４）の下流側に位置するように構成されている。
【０１９５】
除湿運転時の装置の動きそのものは上記実施形態１，２と同じであり、図２１の第１動作と図２２の第２動作が交互に行われる。そして、第１動作では、第１吸着素子（８１）についての吸着動作と、第２吸着素子（８２）についての再生動作とが行われる。つまり、第１動作では、第１吸着素子（８１）で空気が減湿されると同時に、第２吸着素子（８２）の吸着剤が再生される。また、第２動作では、第１動作時とは逆に、第２吸着素子（８２）についての吸着動作と、第１吸着素子（８１）についての再生動作とが行われる。つまり、第２動作では、第２吸着素子（８２）で空気が減湿されると同時に、第１吸着素子（８１）の吸着剤が再生される。
【０１９６】
この除湿運転時、第１仕切板（２０）の各開口（２１〜２６）及び第２仕切板（３０）の各開口（３１〜３６）の開閉の状態と、右側シャッタ（６１）及び左側シャッタ（６２）の開閉の状態は、第１動作及び第２動作の両方とも、実施形態１，２における除湿運転時の状態と同じであり、ケーシング（１０）内での空気の流れそのものは、図２１，図２２に示すように、図１，２の実施形態１及び図１４，１５の実施形態２と同じである。
【０１９７】
除湿運転時には、図２１，図２２，図２５（ａ）に示すように、ケーシング（１０）に取り込まれた第１空気は、熱交換器（１０３，１０４）による温度操作を行わずに、一方の吸着素子（８１，８２）の調湿側通路（８５）へ流入する。この調湿側通路（８５）を流れる間に、第１空気に含まれる水蒸気が吸着剤に吸着され、第１空気が減湿される。減湿された第１空気は、その後、室内に供給される。
【０１９８】
一方、ケーシング（１０）に取り込まれた第２空気は、まず第２熱交換器（１０４）を通過し、冷媒と熱交換して冷却される。この第２空気は、上記一方の吸着素子（８１，８２）の冷却側通路（８６）へ流入する。この冷却側通路（８６）を流れる間に、第２空気は、調湿側通路（８５）で第１空気の水蒸気が吸着剤に吸着される際に生じた吸着熱を吸熱し、加熱される。第２空気は、さらに再生熱交換器（１０２）を通過する際に冷媒との熱交換によって加熱される。
【０１９９】
加熱された第２空気は、他方の吸着素子（８２，８１）の調湿側通路（８５）へ導入され、第２空気によって吸着剤が加熱されて吸着剤から水蒸気が脱離する。つまり、吸着素子（８１，８２）の再生が行われる。この第２空気は、次いで第１熱交換器（１０４）を通過し、冷媒との熱交換によって冷媒を蒸発させ、室外へ排出される。
【０２００】
除湿運転時には、空気の温度と湿度を以上のように操作しつつ、第１動作と第２動作を交互に切り換えることで連続運転が行われる。
【０２０１】
なお、第２熱交換器（１０４）で冷媒が中間圧で蒸発するようにしておくと、蒸発温度を若干高めにすることでドレン水の発生を抑えられる。
【０２０２】
《加湿運転》
加湿運転時においても、冷媒回路（１００）では、再生熱交換器（１０２）が凝縮器となり、第１熱交換器（１０３）及び第２熱交換器（１０４）の両方が蒸発器となる。この加湿運転時には、これら２つの蒸発器のうち、第１熱交換器（１０３）が第２熱交換器（１０４）の上流側に位置するように回路構成されている。
【０２０３】
この加湿運転時の装置の動きそのものも上記実施形態１，２と同じであり、図２３の第１動作と図２４の第２動作が交互に行われる。そして、第１動作では、第１吸着素子（８１）についての吸着動作と、第２吸着素子（８２）についての再生動作とが行われる。つまり、第１動作では、第２吸着素子（８２）で空気が加湿され、第１吸着素子（８１）の吸着剤が水蒸気を吸着する。また、第２動作では、第１動作時とは逆に、第２吸着素子（８２）についての吸着動作と、第１吸着素子（８１）についての再生動作とが行われる。つまり、この第２動作では、第１吸着素子（８１）で空気が加湿され、第２吸着素子（８２）の吸着剤が水蒸気を吸着する。
【０２０４】
この加湿運転時、第１仕切板（２０）の各開口（２１〜２６）及び第２仕切板（３０）の各開口（３１〜３６）の開閉の状態と、右側シャッタ（６１）及び左側シャッタ（６２）の開閉の状態は、第１動作及び第２動作の両方とも、実施形態１，２における加湿運転時の状態と同じである。したがって、ケーシング（１０）内での空気の流れそのものも、図２３，２４に示すように、図３，４の実施形態１及び図１６，図１７の実施形態２と同じである。
【０２０５】
加湿運転時には、図２３，図２４，図２５（ｂ）に示すように、ケーシング（１０）に取り込まれた第１空気は、第２熱交換器（１０４）を通過し、冷媒と熱交換して冷却される。冷却された第１空気は、一方の吸着素子（８１，８２）の調湿側通路（８５）へ流入する。第１空気が調湿側通路（８５）を流れる間に、該第１空気に含まれる水蒸気が吸着剤に吸着され、第１空気が減湿される。減湿された第１空気は、第１熱交換器（１０３）を通過する際に冷媒と熱交換して冷媒を蒸発させ、室外に排出される。
【０２０６】
一方、ケーシング（１０）に取り込まれた第２空気は、まず一方の吸着素子（８１，８２）の冷却側通路（８６）へ流入する。この冷却側通路（８６）を流れる間に、第２空気は、調湿側通路（８５）で第１空気の水蒸気が吸着剤に吸着される際に生じた吸着熱を吸熱し、加熱される。第２空気は、さらに再生熱交換器（１０２）を通過する際に冷媒との熱交換によって加熱される。
【０２０７】
加熱された第２空気は、他方の吸着素子（８２，８１）の調湿側通路（８５）へ導入され、第２空気によって吸着剤が加熱されて吸着剤から水蒸気が脱離する。つまり、吸着素子（８１，８２）の再生が行われ、同時に第２空気が加湿されて室内へ供給される。
【０２０８】
この加湿運転時には、空気の温度と湿度を以上のように操作しつつ、第１動作と第２動作を交互に切り換えることで連続運転が行われる。
【０２０９】
なお、この場合も第１熱交換器（１０３）で冷媒が中間圧で蒸発するようにしておくと、蒸発温度を若干高めにすることで着霜を防止できる。
【０２１０】
−実施形態３の効果−
この実施形態３においては、調湿側通路（８５）と冷却側通路（８６）とを有する吸着素子（８１，８２）を用いた調湿装置において、除湿運転時には、冷却側通路へ流入する第２空気を予め冷媒回路（１００）の蒸発器である第２熱交換器（１０４）で冷却するようにしているので、冷却用流体である第２空気による冷却効果を高めることができる。したがって、十分な除湿量及び加湿量を確保でき、装置の大型化も防止できる。
【０２１１】
また、加湿運転時には、調湿側通路（８５）へ流入する第１空気を予め冷媒回路（１００）の蒸発器である第２熱交換器（１０４）で冷却するようにしているので、第１空気の相対湿度を高めて吸着素子（８１，８２）に供給することができる。したがって、吸着素子（８１，８２）の再生限界が高められ、水分の放出量及び吸着量が多くなる。この結果、装置の除加湿性能を高められる。
【０２１２】
−実施形態３の変形例−
（変形例１）
上記実施形態３では、第１熱交換器（１０３）と第２熱交換器（１０４）をいずれも蒸発器にするとともに、図２５（ａ）に示す除湿運転時に第１熱交換器（１０３）を第２熱交換器（１０４）の下流側にして、冷却側の第２空気を上流側の第２熱交換器（１０３）で冷却するようにしているが、図２６（ａ）に示すように、第１熱交換器（１０３）を上流側の蒸発器に、第２熱交換器（１０４）を下流側の蒸発器にして、冷却側の第２空気を下流側の第２熱交換器（１０４）で冷却するようにしてもよい。
【０２１３】
また、上記実施形態３において、図２５（ｂ）に示す加湿運転時には、第１熱交換器（１０３）を第２熱交換器（１０４）の上流側にして、冷却側の第２空気を下流側の第２熱交換器（１０４）で冷却するようにしているが、図２６（ｂ）に示すように、第１熱交換器（１０３）を下流側の蒸発器に、第２熱交換器（１０４）を上流側の蒸発器にして、吸着側の第１空気を上流側の第２熱交換器（１０４）で冷却するようにしてもよい。
【０２１４】
この構成における空気の流れや冷媒の流れの詳細は省略するが、この場合でも実施形態３と同様の効果を奏することができる。つまり、除湿運転時には冷却側通路（８６）へ流入する第２空気を冷媒回路の蒸発器（１０４）で冷却するようにしているので、吸着素子（８１，８２）における冷却効果を高めることができる。また、加湿運転時には吸着側の第１空気を冷媒回路の蒸発器（１０４）で冷却するようにしているので、吸着素子（８１，８２）の再生限界を高めることができる。したがって、十分な除湿量及び加湿量を確保でき、装置の大型化も防止できる。
【０２１５】
（変形例２）
変形例２は、冷媒回路（１００）の構成をさらに変更した例である。
【０２１６】
この冷媒回路（１００）は、図２７（ａ），（ｂ）に示すように第１熱交換器（１０３）と第２熱交換器（１０４）の両方が蒸発器であり、これらの蒸発器が並列に接続されている。このように構成すると、圧縮機（１０１）から吐出された冷媒は、再生熱交換器（１０２）で凝縮した後に分岐して、図示しない電動膨張弁で減圧され、さらに両蒸発器（１０３，１０４）で蒸発した後に圧縮機（１０１）に吸入されて再度圧縮される。
【０２１７】
除湿運転時と加湿運転時の第１空気及び第２空気の流れと、第１，第２空気に対する第１，第２熱交換器（１０３，１０４）の作用は図２５，図２６の例と同じである。
【０２１８】
したがって、除湿運転時には、一方の蒸発器である第２熱交換器（１０４）で冷却用の第２空気を冷却することにより、上述と同様に冷却効果を高めて吸着効率を向上させることができる。また、加湿運転時には、一方の蒸発器である第２熱交換器（１０４）で吸着用の第１空気を冷却することにより、上述と同様に再生限界を上げて除加湿性能を高めることができる。このため、十分な除湿量及び加湿量を確保でき、装置の大型化も防止できる。
【０２１９】
（変形例３）
変形例３は、図２５（ａ），（ｂ）に示した運転動作において、第１熱交換器（１０３）を休止させるようにした例である。このとき、冷媒回路（１００）では、図２８（ａ），（ｂ）に示すように、再生熱交換器（１０２）が凝縮器となり、第２熱交換器（１０４）のみが蒸発器となる。第１熱交換器（１０３）を休止させる運転を可能にするために、冷媒回路（１００）には第１熱交換器（１０３）をバイパスして冷媒が流れるバイパス通路を設けておくとよい。
【０２２０】
この変形例３の調湿装置における空気の流れ自体は、図２３，図２４及び図２５で説明したものと同様であり、異なる点は、除湿運転時の第２空気または加湿運転時の第１空気が、第１熱交換器（１０３）を通過する際に冷却も加熱もされない点である。
【０２２１】
この変形例３において、除湿運転時には、図２５（ａ）と同様、第１空気は一方の吸着素子（８１，８２）で減湿され、室内に供給される。
【０２２２】
一方、第２空気は、第２熱交換器（１０４）で冷却された後に上記一方の吸着素子（８１，８２）の冷却側通路（８６）を通過し、吸着熱を吸熱する。第２空気は、さらに再生熱交換器（１０２）で加熱され、他方の吸着素子（８２，８１）を通過して該吸着素子（８２，８１）を再生する。この第２空気は、さらに第１熱交換器（１０３）を通過して室外へ排出される。
【０２２３】
また、加湿運転時には、図２５（ｂ）と同様、第２空気は、吸着素子（８１，８２）及び再生熱交換器（１０２）で加熱され、さらに吸着素子（８２，８１）で加湿された後に室内に供給される。
【０２２４】
一方、第１空気である室内空気は、上述のように第２熱交換器（１０４）で冷却された後、吸着素子（８１，８２）に水分を与え、第１熱交換器（１０３）を単に通過して室外へ排出される。
【０２２５】
このように構成しても、除湿運転時には吸着素子（８１，８２）の冷却側通路（８６）に流入する第２空気を冷却することにより冷却効果を高めることができる。また、加湿運転時には吸着素子（８１，８２）の調湿側通路（８５）に流入する第１空気を冷却することにより、図５８の空気線図において説明したように再生限界を高めることが可能となる。したがって、十分な除湿量及び加湿量を確保でき、装置の大型化も防止できる。
【０２２６】
（変形例４）
変形例４は、図２６（ａ），（ｂ）に示した変形例１の運転動作において、第１熱交換器（１０３）を休止させるようにした例である。このとき、冷媒回路（１００）では、図２９（ａ），（ｂ）に示すように、再生熱交換器（１０２）が凝縮器となり、第２熱交換器（１０４）のみが蒸発器となる。第１熱交換器（１０３）を休止させる運転を可能にするために、冷媒回路（１００）には第１熱交換器（１０３）をバイパスして冷媒が流れるバイパス通路を設けておくとよい。
【０２２７】
この変形例４の調湿装置における空気の流れ自体は、図２３，図２４及び図２６で説明したものと同様であり、異なる点は、除湿運転時の第２空気または加湿運転時の第１空気が、第１熱交換器（１０３）を通過する際に冷却も加熱もされない点である。
【０２２８】
この変形例４において、除湿運転時には、図２６（ａ）と同様、第１空気は一方の吸着素子（８１，８２）で減湿され、室内に供給される。
【０２２９】
一方、第２空気は、第２熱交換器（１０４）で冷却された後に上記一方の吸着素子（８１，８２）の冷却側通路（８６）を通過し、吸着熱を吸熱する。第２空気は、さらに再生熱交換器（１０２）で加熱され、他方の吸着素子（８２，８１）を通過して該吸着素子（８２，８１）を再生する。この第２空気は、さらに第１熱交換器（１０３）を通過して室外へ排出される。
【０２３０】
また、加湿運転時には、図２６（ｂ）と同様、第２空気は、吸着素子（８１，８２）及び再生熱交換器（１０２）で加熱され、さらに吸着素子（８２，８１）で加湿された後に室内に供給される。
【０２３１】
一方、第１空気である室内空気は、上述のように第２熱交換器（１０４）で冷却された後、吸着素子（８１，８２）に水分を与え、第１熱交換器（１０３）を単に通過して室外へ排出される。
【０２３２】
このように構成しても、除湿運転時には吸着素子（８１，８２）の冷却側通路（８６）に流入する第２空気を冷却することにより冷却効果を高めることができる。また、加湿運転時には吸着素子（８１，８２）の調湿側通路（８５）に流入する第１空気を冷却することにより、再生限界を高めることが可能となる。したがって、変形例３と同様に、十分な除湿量及び加湿量を確保でき、装置の大型化も防止できる。
【０２３３】
（変形例５）
変形例５は、図２７（ａ），（ｂ）に示した変形例２の運転動作において、並列にした蒸発器の一方である第１熱交換器（１０３）を休止させるようにした例である。このとき、冷媒回路（１００）では、図３０（ａ），（ｂ）に示すように、再生熱交換器（１０２）が凝縮器となり、第２熱交換器（１０４）のみが蒸発器となる。第１熱交換器（１０３）を休止させる運転を可能にするために、冷媒回路（１００）には第１熱交換器（１０３）をバイパスして冷媒が流れるバイパス通路を設けておくとよい。
【０２３４】
この変形例５の調湿装置における空気の流れ自体は、図２３，図２４及び図２７で説明したものと同様であり、異なる点は、除湿運転時の第２空気または加湿運転時の第１空気が、第１熱交換器（１０３）を通過する際に冷却も加熱もされない点である。
【０２３５】
この変形例５において、除湿運転時には、図２７（ａ）と同様、第１空気は一方の吸着素子（８１，８２）で減湿され、室内に供給される。
【０２３６】
一方、第２空気は、第２熱交換器（１０４）で冷却された後に上記一方の吸着素子（８１，８２）の冷却側通路（８６）を通過し、吸着熱を吸熱する。第２空気は、さらに再生熱交換器（１０２）で加熱され、他方の吸着素子（８２，８１）を通過して該吸着素子（８２，８１）を再生する。この第２空気は、さらに第１熱交換器（１０３）を通過して室外へ排出される。
【０２３７】
また、加湿運転時には、図２７（ｂ）と同様、第２空気は、一方の吸着素子（８１，８２）及び再生熱交換器（１０２）で加熱され、さらに他方の吸着素子（８２，８１）で加湿された後に室内に供給される。
【０２３８】
一方、第１空気である室内空気は、上述のように第２熱交換器（１０４）で冷却された後、吸着素子（８１，８２）に水分を与え、第１熱交換器（１０３）を単に通過して室外へ排出される。
【０２３９】
このように構成しても、除湿運転時には吸着素子（８１，８２）の冷却側通路（８６）に流入する第２空気を冷却することにより冷却効果を高めることができる。また、加湿運転時には吸着素子（８１，８２）の調湿側通路（８５）に流入する第１空気を冷却することにより、再生限界を高めることが可能となる。したがって、変形例３，４と同様に十分な除湿量及び加湿量を確保でき、装置の大型化も防止できる。
【０２４０】
【発明の実施の形態４】
本発明の実施形態４は、第１熱交換器（１０３）と第２熱交換器（１０４）の配置を実施形態１，２，３とは異なるようにした例である。
【０２４１】
この実施形態４では、図３１〜図３４に示すように、第１熱交換器（１０３）及び第２熱交換器（１０４）は、いずれも、室内側パネル（１２）と第２仕切板（３０）の間の空間に配置されている。具体的には、第１熱交換器（１０３）は室内側上部流路（４６）に配置され、第２熱交換器（１０４）は室内側下部流路（４７）に配置されている。
【０２４２】
この実施形態４において、第１熱交換器（１０３）は室内へ供給される空気と冷媒とを熱交換させるための熱交換器になっており、第２熱交換器（１０４）は室内からケーシング（１０）に吸引された空気と冷媒とを熱交換させるための熱交換器になっている。
【０２４３】
この調湿装置では、その他の部分は実施形態１，２，３と同様に構成されている。したがって、ここでは各部の具体的な説明は省略する。また、冷媒回路における冷媒の流れについては「運転動作」の欄で説明するが、その具体的な回路構成については省略する。
【０２４４】
−運転動作−
次に、運転動作について説明する。
【０２４５】
《除湿運転》
除湿運転時において、冷媒回路（１００）では、再生熱交換器（１０２）が凝縮器となり、第１熱交換器（１０３）及び第２熱交換器（１０４）の両方が蒸発器となる。除湿運転時には、これら２つの蒸発器のうち、第２熱交換器（１０４）が第１熱交換器（１０３）の上流側に位置するように回路構成されている。
【０２４６】
除湿運転時の装置の動きそのものは上記実施形態１，２，３と同じであり、図３１の第１動作と図３２の第２動作が交互に行われる。そして、第１動作では、第１吸着素子（８１）についての吸着動作と、第２吸着素子（８２）についての再生動作とが行われる。つまり、第１動作では、第１吸着素子（８１）で空気が減湿されると同時に、第２吸着素子（８２）の吸着剤が再生される。また、第２動作では、第１動作時とは逆に、第２吸着素子（８２）についての吸着動作と、第１吸着素子（８１）についての再生動作とが行われる。つまり、第２動作では、第２吸着素子（８２）で空気が減湿されると同時に、第１吸着素子（８１）の吸着剤が再生される。
【０２４７】
この除湿運転時、第１仕切板（２０）の各開口（２１〜２６）及び第２仕切板（３０）の各開口（３１〜３６）の開閉の状態と、右側シャッタ（６１）及び左側シャッタ（６２）の開閉の状態は、第１動作及び第２動作の両方とも、実施形態１，２，３における除湿運転時の状態と同じであり、ケーシング（１０）内での空気の流れそのものは、図３１，図３２に示すように、図１，２の実施形態１、図１４，１５の実施形態２、及び図２１，２２の実施形態３と同じである。
【０２４８】
除湿運転時には、図３１，図３２，図３５（ａ）に示すように、ケーシング（１０）に取り込まれた第１空気は、熱交換器（１０３，１０４）による温度操作を行わずに、まず一方の吸着素子（８１，８２）の調湿側通路（８５）へ流入する。この調湿側通路（８５）を流れる間に、第１空気に含まれる水蒸気が吸着剤に吸着され、第１空気が減湿される。減湿された第１空気は、第１熱交換器（１０３）を通過し、その際に冷媒と熱交換して冷却され、室内に供給される。
【０２４９】
一方、ケーシング（１０）に取り込まれた第２空気は、まず第２熱交換器（１０４）を通過し、冷媒と熱交換して冷却される。この第２空気は、上記一方の吸着素子（８１，８２）の冷却側通路（８６）へ流入する。この冷却側通路（８６）を流れる間に、第２空気は、調湿側通路（８５）で第１空気の水蒸気が吸着剤に吸着される際に生じた吸着熱を吸熱し、加熱される。第２空気は、さらに再生熱交換器（１０２）を通過する際に冷媒との熱交換によって加熱される。
【０２５０】
加熱された第２空気は、他方の吸着素子（８１，８２）の調湿側通路（８５）へ導入され、第２空気によって吸着剤が加熱されて吸着剤から水蒸気が脱離する。つまり、吸着素子（８１，８２）の再生が行われる。吸着素子（８１，８２）を再生した後、第２空気は室外へ排出される。
【０２５１】
除湿運転時には、空気の温度と湿度を以上のように操作しつつ、第１動作と第２動作を交互に切り換えることで連続運転が行われる。
【０２５２】
《加湿運転》
加湿運転時において、冷媒回路（１００）では、再生熱交換器（１０２）と第１熱交換器（１０３）が凝縮器となり、第２熱交換器（１０４）が蒸発器となる。この加湿運転時には、これら２つの凝縮器のうち、第１熱交換器（１０３）が再生熱交換器（１０２）の下流側に位置するように構成されている。
【０２５３】
この加湿運転時の装置の動きそのものも上記実施形態１，２，３と同じであり、図３３の第１動作と図３４の第２動作とが交互に行われる。そして、第１動作では、第１吸着素子（８１）についての吸着動作と、第２吸着素子（８２）についての再生動作とが行われる。つまり、第１動作では、第２吸着素子（８２）で空気が加湿され、第１吸着素子（８１）の吸着剤が水蒸気を吸着する。また、第２動作では、第１動作時とは逆に、第２吸着素子（８２）についての吸着動作と、第１吸着素子（８１）についての再生動作とが行われる。つまり、この第２動作では、第１吸着素子（８１）で空気が加湿され、第２吸着素子（８２）の吸着剤が水蒸気を吸着する。
【０２５４】
この加湿運転時、第１仕切板（２０）の各開口（２１〜２６）及び第２仕切板（３０）の各開口（３１〜３６）の開閉の状態と、右側シャッタ（６１）及び左側シャッタ（６２）の開閉の状態は、第１動作及び第２動作の両方とも、実施形態１，２，３における加湿運転時の状態と同じである。したがって、ケーシング（１０）内での空気の流れそのものも、図３３，３４に示すように、図３，４の実施形態１、図１６，図１７の実施形態２、及び図２３，２４の実施形態３と同じである。
【０２５５】
加湿運転時には、図３３，図３４，図３５（ｂ）に示すように、ケーシング（１０）に取り込まれた第１空気は、まず第２熱交換器（１０４）を通過し、冷媒と熱交換して冷却される。冷却された第１空気は、一方の吸着素子（８１，８２）の調湿側通路（８５）へ流入する。第１空気が調湿側通路（８５）を流れる間に、該第１空気に含まれる水蒸気が吸着剤に吸着され、第１空気が減湿される。減湿された第１空気は、その後、室外に排出される。
【０２５６】
一方、ケーシング（１０）に取り込まれた第２空気は、まず上記一方の吸着素子（８１，８２）の冷却側通路（８６）へ流入する。この冷却側通路（８６）を流れる間に、第２空気は、調湿側通路（８５）で第１空気の水蒸気が吸着剤に吸着される際に生じた吸着熱を吸熱し、加熱される。第２空気は、さらに再生熱交換器（１０２）を通過する際に冷媒との熱交換によって加熱される。
【０２５７】
加熱された第２空気は、他方の吸着素子（８２，８１）の調湿側通路（８５）へ導入され、第２空気によって吸着剤が加熱されて吸着剤から水蒸気が脱離する。つまり、吸着素子（８２，８１）の再生が行われ、同時に第２空気が加湿される。この第２空気は、さらに第１熱交換器（１０３）を通過する際に冷媒と熱交換して加熱された後、室内へ供給される。
【０２５８】
この加湿運転時には、空気の温度と湿度を以上のように操作しつつ、第１動作と第２動作を交互に切り換えることで連続運転が行われる。この運転は、強暖房を行うときに適している。
【０２５９】
−実施形態４の効果−
この実施形態４においては、調湿側通路（８５）と冷却側通路（８６）とを有する吸着素子（８１，８２）を用いた調湿装置において、除湿運転時には、冷却側通路へ流入する第２空気を予め冷媒回路（１００）の蒸発器である第２熱交換器（１０４）で冷却するようにしているので、冷却用流体である第２空気による冷却効果を高めることができる。したがって、十分な除湿量及び加湿量を確保でき、装置の大型化も防止できる。
【０２６０】
また、加湿運転時には、調湿側通路（８５）へ流入する第１空気を予め冷媒回路（１００）の蒸発器である第２熱交換器（１０４）で冷却するようにしているので、第１空気の相対湿度を高めて吸着素子（８１，８２）に供給することができる。したがって、吸着素子（８１，８２）の再生限界が高められ、水分の放出量及び吸着量が多くなる。この結果、装置の除加湿性能を高められる。
【０２６１】
−実施形態４の変形例−
（変形例１）
上記実施形態３の変形例１を図３６に示している。
【０２６２】
図３５の例では、除湿運転時に、第１熱交換器（１０３）と第２熱交換器（１０４）をいずれも蒸発器にするとともに、第１熱交換器（１０３）を第２熱交換器（１０４）の下流側にして、冷却側の第２空気を上流側の第２熱交換器（１０３）で冷却するようにしているが、この変形例１では、除湿運転時に、図３６（ａ）に示すように第１熱交換器（１０３）を上流側の蒸発器に、第２熱交換器（１０４）を下流側の蒸発器にして、冷却側の第２空気を下流側の第２熱交換器（１０４）で冷却するようにしている。
【０２６３】
また、図３５（ｂ）の加湿運転時には、第１熱交換器（１０３）を再生熱交換器（１０２）の下流側の凝縮器にしているが、この変形例１では、第１熱交換器（１０３）を再生熱交換器（１０２）の上流側の凝縮器にして、再生後の第２空気を該第１熱交換器（１０３）で加熱するようにしている。また、蒸発器である第２熱交換器（１０４）で吸着素子（８１，８２）の調湿側通路（８５）に流入する第１空気を冷却するようにしている点は、図３５（ｂ）の例と同じである。
【０２６４】
この場合、除湿運転時には冷却側通路（８６）へ流入する第２空気を冷媒回路の蒸発器（１０４）で冷却するようにしているので、吸着素子（８１，８２）における冷却効果を高めることができる。また、加湿運転時には吸着側の第１空気を冷媒回路の蒸発器（１０４）で冷却するようにしているので、吸着素子（８１，８２）の再生限界を高めることができる。したがって、十分な除湿量及び加湿量を確保でき、装置の大型化も防止できる。
【０２６５】
（変形例２）
変形例２は、冷媒回路（１００）の構成をさらに変更した例である。
【０２６６】
この冷媒回路（１００）は、図３７（ａ），（ｂ）に示すように、除湿運転時には蒸発器を並列にし、加湿運転時には凝縮器を並列にするようにした例である。
【０２６７】
このように構成すると、除湿運転時に圧縮機（１０１）から吐出された冷媒は、図３７（ａ）に示すように再生熱交換器（１０２）で凝縮した後に分岐され、図示しない電動膨張弁で減圧され、さらに両蒸発器（１０３，１０４）で蒸発した後に圧縮機（１０１）に吸入されて再度圧縮される。また、加湿運転時に圧縮機（１０１）から吐出された冷媒は、図３７（ｂ）に示すように、分岐して再生熱交換器（１０２）及び第１熱交換器（１０３）で凝縮した後に合流し、図示しない電動膨張弁で減圧され、さらに蒸発器で蒸発した後に圧縮機（１０１）に吸入されて再度圧縮される動作を繰り返す。
【０２６８】
除湿運転時と加湿運転時の第１空気及び第２空気の流れと、第１，第２空気に対する第１，第２熱交換器（１０３，１０４）の作用は図３５，図３６の例と同じである。
【０２６９】
したがって、除湿運転時には、一方の蒸発器である第２熱交換器（１０４）で冷却用の第２空気を冷却することにより、上述と同様に冷却効果を高めて吸着効率を向上させることができる。また、加湿運転時には、一つの蒸発器である第２熱交換器（１０４）で吸着用の第１空気を冷却することにより、上述と同様に再生限界を上げて除加湿性能を高めることができる。したがって、十分な除湿量及び加湿量を確保でき、装置の大型化も防止できる。
【０２７０】
（変形例３）
上記実施形態４では、図３５（ｂ）の加湿運転時に第１熱交換器（１０３）を凝縮器に、第２熱交換器（１０４）を蒸発器にした例について説明したが、変形例３として、加湿運転時に第１熱交換器（１０３）と第２熱交換器（１０４）の両方を蒸発器にして運転を行うようにしてもよい。
【０２７１】
その場合の運転状態について図３８を参照して説明する。この例では、２つの蒸発器である第１熱交換器（１０３）と第２熱交換器（１０４）が直列に接続され、かつ第１熱交換器（１０３）が第２熱交換器（１０４）の上流側に配置されている。
【０２７２】
この変形例３の調湿装置における空気の流れ自体は、図３３，図３４及び図３５（ｂ）で説明した実施形態４と同様であり、異なる点は、再生後の第２空気が第１熱交換器（１０３）で加熱されるのではなく冷却される点である。
【０２７３】
この変形例３において、第２空気である室外空気は、一方の吸着素子（８１，８２）及び再生熱交換器（１０２）で加熱され、さらに他方の吸着素子（８２，８１）で加湿された後に第１熱交換器（１０３）で冷却されて室内に供給される。
【０２７４】
第１空気である室内空気は第２熱交換器（１０４）で冷却され、さらに上記一方の吸着素子（８１，８２）に水分を与えた後に室外へ排出される。
【０２７５】
このように構成すると、加湿後に冷却した空気を室内に供給できるので、夏期であっても加湿運転を行うことが可能となる。したがって、例えば生花店などで夏期に加湿を行うような場合に適している。また、第１空気を第２熱交換器（１０４）で冷却することで、吸着素子（８１，８２）における再生限界を高めることができるので、除加湿性能を向上させ、吸着素子（８１，８２）や装置の大型化も防止できる。
【０２７６】
（変形例４）
変形例４は、冷媒回路における冷媒の流れをさらに変更した例である。この変形例４は、図３９に示すように、加湿運転時に第１熱交換器（１０３）と第２熱交換器（１０４）の両方を蒸発器にして運転を行う点と、２つの蒸発器である第１熱交換器（１０３）と第２熱交換器（１０４）とが直列に接続されている点は図３８の変形例３と同様であるが、この加湿運転時に第２熱交換器（１０４）が第１熱交換器（１０３）の上流側の蒸発器になる点が上記変形例３とは異なっている。
【０２７７】
この変形例４においても、空気の流れ自体は、上記各実施形態及びそれらの変形例で説明したのと同様である。また、吸着素子（８１，８２）の再生後の第２空気が第１熱交換器（１０３）で冷却される点は図３８の変形例３と同様である。
【０２７８】
具体的には、第２空気は、一方の吸着素子（８１，８２）及び再生熱交換器（１０２）で加熱され、さらに他方の吸着素子（８２，８１）で加湿された後に第１熱交換器（１０３）で冷却されて室内に供給される。
【０２７９】
第１空気である室内空気は、第２熱交換器（１０４）で冷却され、さらに上記一方の吸着素子（８１，８２）に水分を与えた後に室外へ排出される。
【０２８０】
このように構成すると、上記変形例３と同様に、加湿後に冷却した空気を室内に供給できるので、夏期であっても加湿運転を行うことが可能となる。したがって、例えば生花店などで夏期に加湿を行うような場合に適している。また、第１空気を第２熱交換器（１０４）で冷却することで、吸着素子（８１，８２）における再生限界を高めることができるので、除加湿性能を向上させ、吸着素子（８２，８２）や装置の大型化も防止できる。
【０２８１】
（変形例５）
図４０に示す変形例５は、第１熱交換器（１０３）と第２熱交換器（１０４）とをいずれも蒸発器とし、これらの熱交換器（１０３，１０４）を並列に接続した例である。そして、第１熱交換器（１０３）で再生後の第２空気を冷却し、第２熱交換器（１０４）で減湿前の第１空気を冷却するようにしている。
【０２８２】
具体的には、第２空気は、一方の吸着素子（８１，８２）及び再生熱交換器（１０２）で加熱され、さらに他方の吸着素子（８２，８１）で加湿された後に第１熱交換器（１０３）で冷却されて室内に供給される。
【０２８３】
第１空気である室内空気は、まず第２熱交換器（１０４）で冷却され、さらに上記一方の吸着素子（８１，８２）に水分を与えた後に室外へ排出される。
【０２８４】
このように構成しても、上記変形例３，４と同様に、加湿後に冷却した空気を室内に供給できるので、夏期であっても加湿運転を行うことが可能となる。したがって、例えば生花店などで夏期に加湿を行うような場合に適している。また、第１空気を第２熱交換器（１０４）で冷却することで、吸着素子（８１，８２）における再生限界を高めることができるので、除加湿性能を向上させ、吸着素子（８２，８２）や装置の大型化も防止できる。
【０２８５】
【発明の実施の形態５】
本発明の実施形態５は、第１熱交換器（１０３）と第２熱交換器（１０４）の配置を実施形態１〜４とは異なるようにした例である。
【０２８６】
この実施形態５では、図４１，４２に示すように、第１熱交換器（１０３）は室外側パネル（１１）と第１仕切板（３０）の間の空間に配置され、第２熱交換器（１０４）は、室内側パネル（１２）と第２仕切板（３０）の間の空間に配置されている。具体的には、第１熱交換器（１０３）は室外側下部流路（４７）に配置され、第２熱交換器（１０４）は室内側下部流路（４７）に配置されている。
【０２８７】
この実施形態５において、第１熱交換器（１０３）は室外からケーシング（１０）に吸引された空気と冷媒とを熱交換させるための熱交換器になっており、第２熱交換器（１０４）は室内からケーシング（１０）に吸引された空気と冷媒とを熱交換させるための熱交換器になっている。
【０２８８】
この調湿装置は、除湿専用機に構成されているが、装置構成に関しては、熱交換器（１０３，１０４）の配置を除いて実施形態１〜４と同様である。したがって、ここでは各部の具体的な説明は省略する。また、冷媒回路の具体的な回路構成についても省略する。
【０２８９】
−運転動作−
次に、運転動作について説明する。
【０２９０】
《除湿運転》
除湿運転時において、冷媒回路（１００）では、再生熱交換器（１０２）が凝縮器となり、第１熱交換器（１０３）及び第２熱交換器（１０４）の両方が蒸発器となる。また、冷媒回路（１００）では、第１熱交換器（１０３）が上流側の熱交換器になっており、第２熱交換器が下流側の熱交換器になっている。
【０２９１】
この除湿運転時の装置の動きそのものは上記実施形態１〜４と同じであり、図４１の第１動作と図４２の第２動作とが交互に行われる。そして、第１動作では、第１吸着素子（８１）についての吸着動作と、第２吸着素子（８２）についての再生動作とが行われる。つまり、第１動作では、第１吸着素子（８１）で空気が減湿されると同時に、第２吸着素子（８２）の吸着剤が再生される。また、第２動作では、第１動作時とは逆に、第２吸着素子（８２）についての吸着動作と、第１吸着素子（８１）についての再生動作とが行われる。つまり、第２動作では、第２吸着素子（８２）で空気が減湿されると同時に、第１吸着素子（８１）の吸着剤が再生される。
【０２９２】
この除湿運転時、第１仕切板（２０）の各開口（２１〜２６）及び第２仕切板（３０）の各開口（３１〜３６）の開閉の状態と、右側シャッタ（６１）及び左側シャッタ（６２）の開閉の状態は、第１動作及び第２動作の両方とも、実施形態１〜４における除湿運転時の状態と同じであり、ケーシング（１０）内での空気の流れそのものは、図４１，図４２に示すように、図１，２の実施形態１、図１４，１５の実施形態２、図２１，２２の実施形態３、及び図３１，図３２の実施形態４と同じである。
【０２９３】
この除湿運転時には、図４１，図４２，図４３に示すように、ケーシング（１０）に取り込まれた第１空気は、第１熱交換器（１０３）を通過する際に冷媒と熱交換して冷却されてから、一方の吸着素子（８１，８２）の調湿側通路（８５）へ流入する。この調湿側通路（８５）を流れる間に、第１空気に含まれる水蒸気が吸着剤に吸着され、第１空気が減湿される。減湿された第１空気は、その後に室内に供給される。
【０２９４】
一方、ケーシング（１０）に取り込まれた第２空気は、まず第２熱交換器（１０４）を通過し、冷媒と熱交換して冷却される。この第２空気は、まず一方の吸着素子（８１，８２）の冷却側通路（８６）へ流入する。この冷却側通路（８６）を流れる間に、第２空気は、調湿側通路（８５）で第１空気の水蒸気が吸着剤に吸着される際に生じた吸着熱を吸熱し、加熱される。第２空気は、さらに再生熱交換器（１０２）を通過する際に冷媒との熱交換によって加熱される。
【０２９５】
加熱された第２空気は、他方の吸着素子（８２，８１）の調湿側通路（８５）へ導入され、第２空気によって吸着剤が加熱されて吸着剤から水蒸気が脱離する。つまり、吸着素子（８１，８２）の再生が行われる。吸着素子（８１，８２）を再生した後、第２空気は室外へ排出される。
【０２９６】
除湿運転時には、空気の温度と湿度を以上のように操作しつつ、第１動作と第２動作を交互に切り換えることで連続運転が行われる。
【０２９７】
−実施形態５の効果−
この実施形態５によれば、吸着素子を用いた調湿装置において、上記吸着素子へ流入する第１空気を予め冷媒回路（１００）の蒸発器である第１熱交換器（１０３）で冷却することにより、第１空気の相対湿度を高めて吸着素子に供給することができる。したがって、吸着素子の再生限界が高められ、水分の放出量及び吸着量が多くなる。この結果、装置の除加湿性能を高められる。
【０２９８】
また、冷却側通路へ流入する第２空気を予め冷媒回路（１００）の蒸発器である第２熱交換器（１０４）で冷却するようにしているので、冷却用流体である第２空気による冷却効果を高めることができる。したがって、十分な除湿量及び加湿量を確保でき、装置の大型化も防止できる。
【０２９９】
−実施形態５の変形例−
（変形例１）
実施形態５の変形例１は、冷媒回路の構成を上記実施形態５とは変更した例である。この変形例１では、図４４に示すように、図４３の実施形態５と同様に第１熱交換器（１０３）と第２熱交換器（１０４）をいずれも蒸発器にしているが、第１熱交換器（１０３）が第２熱交換器（１０４）の下流側の蒸発器になるようにしている点で実施形態５とは異なっている。
【０３００】
この変形例１においても、空気の流れは図４３の実施形態５と同じである。つまり、第１空気は、第１熱交換器（１０３）で冷却された後、一方の吸着素子（８１，８２）で減湿され、室内に供給される。また、第２空気は、第２熱交換器（１０４）で冷却された後、上記一方の吸着素子（８１，８２）と再生熱交換器（１０２）とで加熱され、他方の吸着素子（８２，８１）を再生して室外へ排出される。
【０３０１】
この場合でも実施形態５と同様の効果を奏することができる。つまり、吸着側の第１空気を一方の蒸発器である第１熱交換器（１０３）で冷却するようにしているので、吸着素子（８１，８２）の再生限界を高めることができる。また、冷却側通路（８６）へ流入する第２空気を他方の蒸発器である第２熱交換器（１０４）で冷却するようにしているので、吸着素子（８１，８２）における冷却効果を高めることができる。したがって、十分な除湿量及び加湿量を確保でき、装置の大型化も防止できる。
【０３０２】
（変形例２）
実施形態５の変形例２は、冷媒回路の構成を図４３の上記実施形態５及び図４４の変形例１とは変更した例である。この変形例２では、図４５に示すように、図４３，４４と同様に第１熱交換器（１０３）と第２熱交換器（１０４）をいずれも蒸発器にしているが、第１熱交換器（１０３）と第２熱交換器（１０４）を並列にしている点で図４３，４４の例とは異なっている。
【０３０３】
この変形例２においても、空気の流れは図４３の実施形態５及び図４４の変形例１と同じである。つまり、第１空気は、第１熱交換器（１０３）で冷却された後、一方の吸着素子（８１，８２）で減湿され、室内に供給される。また、第２空気は、第２熱交換器（１０４）で冷却された後、一方の吸着素子（８１，８２）と再生熱交換器（１０２）とで加熱され、他方の吸着素子（８２，８１）を再生して室外へ排出される。
【０３０４】
この場合でも実施形態５と同様の効果を奏することができる。つまり、吸着側の第１空気を一方の蒸発器である第１熱交換器（１０３）で冷却するようにしているので、吸着素子（８１，８２）の再生限界を高めることができる。また、冷却側通路（８６）へ流入する第２空気を他方の蒸発器である第２熱交換器（１０４）で冷却するようにしているので、吸着素子（８１，８２）における冷却効果を高めることができる。したがって、十分な除湿量及び加湿量を確保でき、装置の大型化も防止できる。
【０３０５】
【発明の実施の形態６】
上記各実施形態では、３枚の熱交換器（再生熱交換器（１０２）、第１熱交換器（１０３）及び第２熱交換器（１０４））を有する１つの冷媒回路（１００）を用いた例について説明したが、本発明の調湿装置では、２つの冷媒回路を用いてもよい。
【０３０６】
この場合、ケーシング（１０）内には、冷媒回路として、図４６に示すように冷媒回路Ａ（２１０）と冷媒回路Ｂ（２２０）とが設けられる。冷媒回路Ａ（２１０）は、第１圧縮機（２１１）と、第１凝縮器（２１２）と、第１膨張弁（２１３）と、第１蒸発器（２１４）とから構成されている。冷媒回路Ｂ（２２０）は、第２圧縮機（２２１）と、第２凝縮器（２２２）と、第２膨張弁（２２３）と、第２蒸発器（２２４）とから構成されている。
【０３０７】
この場合、各熱交換器（２１２，２１４，２２２，２２４）は、それぞれを、ケーシング（１０）内の室外側上部流路（４１）、室外側下部流路（４２）、室内側上部流路（４６）、室内側下部流路（４７）、及び中央流路（５７）の５つのチャンバーに、種々のパターンで配置することができる。
【０３０８】
まず、第１蒸発器（２１４）で吸着側の第１空気を冷却する場合の配置のパターンについて説明する。この場合、図４７の表に示すように、７通りの配置パターンが考えられる。なお、この表で、「再生」は再生熱交換器が配置される中央流路（５７）を表し、「ＯＡ」は室外からケーシング（１０）に空気が導入される室外側下部流路（４２）を表し、「ＲＡ」は室内からケーシング（１０）に空気が導入される室内側下部流路（４７）を表し、「ＳＡ」は室内に空気が吹き出される室内側上部流路（４６）を表し、「ＥＡ」は室外に空気が吹き出される室外側上部流路（４１）を表している。
【０３０９】
（配置パターン▲１▼）
この配置パターン▲１▼では、図４１，図４２に括弧付きの符号で示しているように、第１凝縮器（２１２）が中央流路（５７）に、第１蒸発器（２１４）が室外側下部流路（４２）に、第２凝縮器（２２２）も中央流路（５７）に、そして第２蒸発器（２２４）が室内側下部流路（４７）に配置される。
【０３１０】
したがって、除湿運転時に、第１空気（室外空気）は、第１蒸発器（２１４）で冷却されてから吸着素子（８１，８２）の一方で減湿され、室内に供給される。一方、第２空気（室内空気）は、第２蒸発器（２２４）で冷却されてから一方の吸着素子（８１，８２）と両凝縮器（２１２，２２２）で加熱され、さらに他方の吸着素子（８１，８２）を再生して室外へ排出される。
【０３１１】
また、加湿運転時には対応する図を示していないが、第１空気（室内空気）は、第２蒸発器（２２４）で冷却されてから吸着素子（８１，８２）の一方で減湿され、室外に排気される。一方、第２空気（室外空気）は、第１蒸発器（２１４）で冷却されてから一方の吸着素子（８１，８２）と両凝縮器（２１２，２２２）で加熱され、さらに他方の吸着素子（８１，８２）を再生する際に加湿されて室内に供給される。
【０３１２】
このように、配置パターン▲１▼では、吸着側の第１空気を、除湿運転時には第１蒸発器（２１４）で冷却する一方、加湿運転時には第２蒸発器（２２４）で冷却し、冷却側の第２空気を、除湿運転時には第２蒸発器（２２４）で冷却する一方、加湿運転時には第１蒸発器（２１４）で冷却するようにしている。したがって、除湿運転時と加湿運転時のいずれも、第１空気を冷却することにより、該第１空気の相対湿度を高めて吸着素子に供給することができるため、吸着素子の再生限界が高められ、水分の放出量及び吸着量が多くなる。この結果、装置の除加湿性能を高められる。また、除湿運転時と加湿運転時のいずれも、第２空気を冷却することにより、吸着素子（８１，８２）における冷却効果を高めることができるようになり、十分な除湿量及び加湿量を確保できるとともに、装置の大型化も防止できる。
【０３１３】
（配置パターン▲２▼）
この配置パターン▲２▼では、図１４〜図１７に括弧付きの符号で示しているように、第１凝縮器（２１２）が中央流路（５７）に、第１蒸発器（２１４）が室外側下部流路（４２）に、第２凝縮器（２２２）も中央流路（５７）に、そして第２蒸発器（２２４）が室外側上部流路（４１）に配置される。
【０３１４】
したがって、除湿運転時に、第１空気（室外空気）は、第１蒸発器（２１４）で冷却されてから吸着素子（８１，８２）の一方で減湿され、室内に供給される。一方、第２空気（室内空気）は、一方の吸着素子（８１，８２）と両凝縮器（２１２，２２２）で加熱され、さらに他方の吸着素子（８１，８２）を再生した後に第２蒸発器（２２４）で冷却されて室外へ排出される。
【０３１５】
また、加湿運転時に、第１空気（室内空気）は、吸着素子（８１，８２）の一方で減湿され、第２蒸発器（２２４）で冷却されてから室外に排気される。一方、第２空気（室外空気）は、第１蒸発器（２１４）で冷却されてから一方の吸着素子（８１，８２）と両凝縮器（２１２，２２２）で加熱され、さらに他方の吸着素子（８１，８２）を再生する際に加湿されて室内に供給される。
【０３１６】
このように、配置パターン▲２▼では、吸着側の第１空気を、除湿運転時に第１蒸発器（２１４）で冷却し、冷却側の第２空気を、加湿運転時に第１蒸発器（２１４）で冷却するようにしている。したがって、除湿運転時に第１空気を冷却することにより、該第１空気の相対湿度を高めて吸着素子に供給することができるため、吸着素子の再生限界が高められ、水分の放出量及び吸着量が多くなる。この結果、装置の除加湿性能を高められる。また、加湿運転時に第２空気を冷却することにより、吸着素子（８１，８２）における冷却効果を高めることができるようになり、十分な除湿量及び加湿量を確保できるとともに、装置の大型化も防止できる。
【０３１７】
（配置パターン▲３▼）
この配置パターン▲３▼では、図１〜図４に括弧付きの符号で示しているように、第１凝縮器（２１２）が中央流路（５７）に、第１蒸発器（２１４）が室外側下部流路（４２）に、第２凝縮器（２２２）も中央流路（５７）に、そして第２蒸発器（２２４）が室内側上部流路（４１）に配置される。
【０３１８】
したがって、除湿運転時に、第１空気（室外空気）は、第１蒸発器（２１４）で冷却されてから吸着素子（８１，８２）の一方で減湿され、さらに第２蒸発器（２２４）で冷却されて室内に供給される。一方、第２空気（室内空気）は、一方の吸着素子（８１，８２）と両凝縮器（２１２，２２２）で加熱され、さらに他方の吸着素子（８１，８２）を再生した後に室外へ排出される。
【０３１９】
また、加湿運転時に、第１空気（室内空気）は、吸着素子（８１，８２）の一方で減湿され、室外に排気される。一方、第２空気（室外空気）は、第１蒸発器（２１４）で冷却されてから一方の吸着素子（８１，８２）と両凝縮器（２１２，２２２）で加熱され、さらに他方の吸着素子（８１，８２）を再生する際に加湿された後に第２蒸発器（２２４）で冷却されてから室内に供給される。
【０３２０】
このように、配置パターン▲３▼では、吸着側の第１空気を、除湿運転時に第１蒸発器（２１４）で冷却し、冷却側の第２空気を、加湿運転時に第１蒸発器（２１４）で冷却するようにしている。したがって、除湿運転時に第１空気を冷却することにより、該第１空気の相対湿度を高めて吸着素子に供給することができるため、吸着素子の再生限界が高められ、水分の放出量及び吸着量が多くなる。この結果、装置の除加湿性能を高められる。また、加湿運転時に第２空気を冷却することにより、吸着素子（８１，８２）における冷却効果を高めることができるようになり、十分な除湿量及び加湿量を確保できるとともに、装置の大型化も防止できる。
【０３２１】
（配置パターン▲４▼）
この配置パターン▲４▼では、図４８に示しているように、第１凝縮器（２１２）が中央流路（５７）に、第１蒸発器（２１４）が室外側下部流路（４２）に、第２凝縮器（２２２）が室内側上部流路（４６）に、そして第２蒸発器（２２４）が室内側下部流路（４７）に配置される。
【０３２２】
したがって、除湿運転時に、第１空気（室外空気）は、第１蒸発器（２１４）で冷却されてから吸着素子（８１，８２）の一方で減湿され、その後に第２凝縮器（２２２）で加熱されて室内に供給される。一方、第２空気（室内空気）は、第２蒸発器（２２４）で冷却されてから一方の吸着素子（８１，８２）を冷却し、さらに第１凝縮器（２１２）で加熱された後に他方の吸着素子（８１，８２）を再生し、室外へ排出される。
【０３２３】
また、図示していないが、加湿運転時に、第１空気（室内空気）は、第２蒸発器（２２４）で冷却された後に吸着素子（８１，８２）の一方で減湿され、室外に排気される。一方、第２空気（室外空気）は、第１蒸発器（２１４）で冷却されてから一方の吸着素子（８１，８２）を冷却し、第１凝縮器（２１２）で加熱された後に他方の吸着素子（８１，８２）を再生する際に加湿され、さらに第２凝縮器で加熱されて室内に供給される。
【０３２４】
このように、配置パターン▲４▼では、吸着側の第１空気を、除湿運転時に第１蒸発器（２１４）で冷却する一方、加湿運転時に第２蒸発器（２２４）で冷却し、冷却側の第２空気を、除湿運転時に第２蒸発器（２２４）で冷却する一方、加湿運転時に第１蒸発器（２１４）で冷却するようにしている。したがって、除湿運転時及び加湿運転時に第１空気を冷却することにより、該第１空気の相対湿度を高めて吸着素子に供給することができるため、吸着素子の再生限界が高められ、水分の放出量及び吸着量が多くなる。この結果、装置の除加湿性能を高められる。また、除湿運転時及び加湿運転時に第２空気を冷却することにより、吸着素子（８１，８２）における冷却効果を高めることができるようになり、十分な除湿量及び加湿量を確保できるとともに、装置の大型化も防止できる。
【０３２５】
（配置パターン▲５▼）
この配置パターン▲５▼では、図４９に示しているように、第１凝縮器（２１２）が中央流路（５７）に、第１蒸発器（２１４）が室外側下部流路（４２）に、第２凝縮器（２２２）が室内側上部流路（４６）に、そして第２蒸発器（２２４）が室外側上部流路（４１）に配置される。
【０３２６】
したがって、除湿運転時に、第１空気（室外空気）は、第１蒸発器（２１４）で冷却されてから吸着素子（８１，８２）の一方で減湿され、その後に第２凝縮器（２２２）で加熱されて室内に供給される。一方、第２空気（室内空気）は、一方の吸着素子（８１，８２）を冷却し、さらに第１凝縮器（２１２）で加熱された後に他方の吸着素子（８１，８２）を再生し、第２蒸発器（２２４）で冷却されてから室外へ排出される。
【０３２７】
また、図示していないが、加湿運転時に、第１空気（室内空気）は、吸着素子（８１，８２）の一方で減湿され、第２蒸発器（２２４）で冷却されて室外に排気される。一方、第２空気（室外空気）は、第１蒸発器（２１４）で冷却されてから一方の吸着素子（８１，８２）を冷却し、第１凝縮器（２１２）で加熱された後に他方の吸着素子（８１，８２）を再生する際に加湿され、さらに第２凝縮器（２２２）で加熱されて室内に供給される。
【０３２８】
このように、配置パターン▲５▼では、吸着側の第１空気を、除湿運転時に第１蒸発器（２１４）で冷却し、冷却側の第２空気を、加湿運転時に第１蒸発器（２１４）で冷却するようにしている。したがって、除湿運転時に第１空気を冷却することにより、該第１空気の相対湿度を高めて吸着素子に供給することができるため、吸着素子の再生限界が高められ、水分の放出量及び吸着量が多くなる。この結果、装置の除加湿性能を高められる。また、加湿運転時に第２空気を冷却することにより、吸着素子（８１，８２）における冷却効果を高めることができるようになり、十分な除湿量及び加湿量を確保できるとともに、装置の大型化も防止できる。
【０３２９】
（配置パターン▲６▼）
この配置パターン▲６▼では、図５０に示しているように、第１凝縮器（２１２）が室内側上部流路（４６）に、第１蒸発器（２１４）が室外側下部流路（４２）に、第２凝縮器（２２２）が中央流路（５７）に、そして第２蒸発器（２２４）が室内側下部流路（４７）に配置される。
【０３３０】
したがって、除湿運転時に、第１空気（室外空気）は、第１蒸発器（２１４）で冷却されてから吸着素子（８１，８２）の一方で減湿され、その後に第１凝縮器（２１２）で加熱されて室内に供給される。一方、第２空気（室内空気）は、第２蒸発器（２２４）で冷却されてから一方の吸着素子（８１，８２）を冷却し、さらに第２凝縮器（２２２）で加熱された後に他方の吸着素子（８１，８２）を再生し、室外へ排出される。
【０３３１】
また、加湿運転時に、第１空気（室内空気）は、第２蒸発器（２２４）で冷却されてから吸着素子（８１，８２）の一方で減湿され、室外に排気される。一方、第２空気（室外空気）は、第１蒸発器（２１４）で冷却されてから一方の吸着素子（８１，８２）を冷却し、第２凝縮器（２２２）で加熱された後に他方の吸着素子（８１，８２）を再生する際に加湿され、さらに第１凝縮器（２１２）で加熱されて室内に供給される。
【０３３２】
このように、配置パターン▲６▼では、吸着側の第１空気を、除湿運転時には第１蒸発器（２１４）で冷却する一方、加湿運転時には第２蒸発器（２２４）で冷却し、冷却側の第２空気を、除湿運転時には第２蒸発器（２２４）で冷却する一方、加湿運転時には第１蒸発器（２１４）で冷却するようにしている。したがって、除湿運転時と加湿運転時のいずれも、第１空気を冷却することにより、該第１空気の相対湿度を高めて吸着素子に供給することができるため、吸着素子の再生限界が高められ、水分の放出量及び吸着量が多くなる。この結果、装置の除加湿性能を高められる。また、除湿運転時と加湿運転時のいずれも、第２空気を冷却することにより、吸着素子（８１，８２）における冷却効果を高めることができるようになり、十分な除湿量及び加湿量を確保できるとともに、装置の大型化も防止できる。
【０３３３】
（配置パターン▲７▼）
この配置パターン▲７▼では、図５１に示しているように、第１凝縮器（２１２）が室内側上部流路（４６）に、第１蒸発器（２１４）が室外側下部流路（４２）に、第２凝縮器（２２２）が中央流路（５７）に、そして第２蒸発器（２２４）が室外側上部流路（４１）に配置される。
【０３３４】
したがって、除湿運転時に、第１空気（室外空気）は、第１蒸発器（２１４）で冷却されてから吸着素子（８１，８２）の一方で減湿され、その後に第１凝縮器（２１２）で加熱されて室内に供給される。一方、第２空気（室内空気）は、一方の吸着素子（８１，８２）を冷却し、さらに第２凝縮器（２２２）で加熱された後に他方の吸着素子（８１，８２）を再生し、第２蒸発器（２２４）で冷却されてから室外へ排出される。
【０３３５】
また、加湿運転時に、第１空気（室内空気）は、吸着素子（８１，８２）の一方で減湿され、第２蒸発器（２２４）で冷却されてから室外に排気される。一方、第２空気（室外空気）は、第１蒸発器（２１４）で冷却されてから一方の吸着素子（８１，８２）を冷却し、第２凝縮器（２２２）で加熱された後に他方の吸着素子（８１，８２）を再生する際に加湿され、さらに第１凝縮器（２１２）で加熱されて室内に供給される。
【０３３６】
このように、配置パターン▲７▼では、吸着側の第１空気を、除湿運転時に第１蒸発器（２１４）で冷却し、冷却側の第２空気を、加湿運転時に第１蒸発器（２１４）で冷却するようにしている。したがって、除湿運転時に第１空気を冷却することにより、該第１空気の相対湿度を高めて吸着素子に供給することができるため、吸着素子の再生限界が高められ、水分の放出量及び吸着量が多くなる。この結果、装置の除加湿性能を高められる。また、加湿運転時に第２空気を冷却することにより、吸着素子（８１，８２）における冷却効果を高めることができるようになり、十分な除湿量及び加湿量を確保できるとともに、装置の大型化も防止できる。
【０３３７】
−実施形態６の変形例−
上記実施形態６においては、ケーシング（１０）内に導入される室外空気を第１蒸発器（２１４）で冷却するようにしているが、図５２の表に示すように、ケーシング（１０）内に導入される室内空気を第１蒸発器（２１４）で冷却するようにしてもよい。
【０３３８】
この例で、各パターン▲１▼〜▲７▼で第１蒸発器（２１４）を室内空気の冷却に用いている点と、配置パターン▲１▼，▲４▼，▲６▼において第２蒸発器（２２４）を室外空気の冷却に用いるようにしている点を除き、実施形態６と同じ構成である。
【０３３９】
この場合の図面は省略しているが、このように構成しても実施形態６と同様の効果を奏することができる。
【０３４０】
【発明の実施の形態７】
本発明に係る調湿装置は、室内空気の温度と湿度を操作して室内に戻す除湿循環運転や加湿循環運転を行うようにしてもよい。
【０３４１】
この除湿循環運転や加湿循環運転においては、上記各実施形態の除湿運転や加湿運転と同様に、第１動作と第２動作とが交互に繰り返し行われる。ここでは、まず、上記実施形態１の装置で除湿循環運転を行う例について説明する。
【０３４２】
なお、この実施形態７では、第１熱交換器（１０３）と第２熱交換器（１０４）は、いずれも蒸発器として機能している。
【０３４３】
《除湿循環運転》
この装置において、除湿循環運転の第１動作時には、図５３に示すように、第１仕切板（２０）の第１右側開口（２１）と第１左上開口（２５）とが連通状態となり、残りの開口（２２，２３，２４，２６）が遮断状態となっている。また、第２仕切板（３０）の第２右上開口（３３）と第２右下開口（３４）とが連通状態となり、残りの開口（３１，３２，３５，３６）が遮断状態となっている。さらに、右側シャッタ（６１）は閉鎖状態となり、左側シャッタ（６２）は開口状態となっている。
【０３４４】
また、除湿循環運転の第２動作時には、図５４に示すように、第１仕切板（２０）の第１左側開口（２２）と第１右上開口（２３）とが連通状態となり、残りの開口（２１，２４，２５，２６）が遮断状態となっている。また、第２仕切板（３０）の第２左上開口（３５）と第２左下開口（３６）とが連通状態となり、残りの開口（３１，３２，３３，３４）が遮断状態となっている。さらに、左側シャッタ（６２）は閉鎖状態となり、右側シャッタ（６１）は開口状態となっている。
【０３４５】
この除湿循環運転時には、室内空気が第１空気として室内側吸込口（１５）を通じてケーシング（１０）内に取り込まれる。また、室外空気が第２空気として室外側吸込口（１３）を通じてケーシング（１０）内に取り込まれる。
【０３４６】
ケーシング（１０）に取り込まれた第１空気は、一方の吸着素子（８１，８２）に流入して減湿され、さらに第１熱交換器（１０３）を通過するときに冷媒との熱交換によって冷却され、室内へ供給される。
【０３４７】
一方、ケーシング（１０）に取り込まれた第２空気は、まず第２熱交換器（１０４）を通過するときに冷媒と熱交換して冷却されてから、上記一方の吸着素子（８１，８２）に流入する。第２空気は、この吸着素子（８１，８２）を通過する際に吸着熱を吸熱し、その後、再生熱交換器（１０２）で加熱された後に他方の吸着素子（８１，８２）を再生して、室外に排出される。
【０３４８】
この例においては、冷却用の第２空気を第２熱交換器（１０４）で冷却してから吸着素子（８１，８２）に供給するようにしているので、冷却効果を高めることができる。したがって、十分な除湿量及び加湿量を確保でき、装置の大型化も防止できる。
【０３４９】
−実施形態７の変形例−
実施形態７の変形例として、図３１〜図３４に示した上記実施形態４の装置で加湿循環運転を行う例について説明する。この場合も、第１動作と第２動作とが交互に繰り返し行われる。
【０３５０】
この変形例では、第１熱交換器（１０３）は凝縮器として機能し、第２熱交換器（１０４）は蒸発器として機能している。
【０３５１】
《加湿循環運転》
この装置において、加湿循環運転の第１動作時には、図５５に示すように、第１仕切板（２０）の第１右上開口（２３）と第１右下開口（２４）とが連通状態となり、残りの開口（２１，２２，２５，２６）が遮断状態となっている。また、第２仕切板（３０）の第２右側開口（３１）と第２左上開口（３５）とが連通状態となり、残りの開口（３２，３３，３４，３６）が遮断状態となっている。さらに、右側シャッタ（６１）は閉鎖状態となり、左側シャッタ（６２）は開口状態となっている。
【０３５２】
また、加湿循環運転の第２動作時には、図５６に示すように、第１仕切板（２０）の第１左上開口（２５）と第１左下開口（２６）とが連通状態となり、残りの開口（２１，２２，２３，２４）が遮断状態となっている。また、第２仕切板（３０）の第２左側開口（３２）と第２右上開口（３３）とが連通状態となり、残りの開口（３１，３４，３５，３６）が遮断状態となっている。さらに、左側シャッタ（６２）は閉鎖状態となり、右側シャッタ（６１）は開口状態となっている。
【０３５３】
この加湿循環運転時には、室内空気が第２空気として室内側吸込口（１５）を通じてケーシング（１０）内に取り込まれる。また、室外空気が第１空気として室外側吸込口（１３）を通じてケーシング（１０）内に取り込まれる。
【０３５４】
ケーシング（１０）に取り込まれた第１空気は、一方の吸着素子（８１，８２）に流入して減湿された後、室外に排出される。
【０３５５】
一方、ケーシング（１０）に取り込まれた第２空気は、まず第２熱交換器（１０４）を通過するときに冷媒と熱交換して冷却されてから、上記一方の吸着素子（８１，８２）に流入する。第２空気は、この吸着素子（８１，８２）を通過する際に吸着熱を吸熱し、その後、再生熱交換器（１０２）で加熱された後に他方の吸着素子（８１，８２）を再生し、加湿される。この第２空気は、さらに第１熱交換器（１０３）を通過し、その際に冷媒との熱交換により加熱されて室外に排出される。
【０３５６】
この例においても、冷却用の第２空気を第２熱交換器（１０４）で冷却してから吸着素子（８１，８２）に供給するようにしているので、冷却効果を高めることができる。したがって、十分な除湿量及び加湿量を確保でき、装置の大型化も防止できる。
【０３５７】
【発明の実施の形態８】
図５７は、実施形態１の装置において、第１熱交換器（１０３）の代わりに第１冷却器（２５１）を、第２熱交換器（１０４）の代わりに第２冷却器（２５２）を用いた例を示している。第１冷却器（２５１）及び第２冷却器（２５２）には、例えば、冷水と空気空気との熱交換により該空気を冷却する冷水コイルを用いたり、ペルチェ効果によって空気を冷却する熱電素子（ペルチェ効果素子）を用いたりすることが可能である。
【０３５８】
この場合でも、除湿運転時に吸着側の第１空気を第１冷却器（２５１）で冷却することにより、吸着素子の再生限界を高め、除湿量及び加湿量を確保できる。また、加湿運転時に冷却側の第２空気を第１冷却器で冷却することにより、冷却効果を高めて十分な除湿量及び加湿量を確保でき、装置の大型化も防止できる。
【０３５９】
なお、冷水コイルやペルチェ効果素子などの冷却器（２５１，２５２）は、実施形態２〜７においても、各蒸発器の代わりとして、該蒸発器の位置に配置してもよい。
【０３６０】
【発明のその他の実施の形態】
本発明は、上記各実施形態に限定せず、その他種々の態様で実施することが可能である。
【０３６１】
例えば、上記実施形態１〜５では、１つの冷媒回路（１００）が３枚の熱交換器（１０２，１０３，１０４）を有する例について説明したが、冷媒回路（１００）が１つの凝縮器と１つの蒸発器を有するものとして、その蒸発器で冷却側の第２空気を冷却するようにしてもよい。その場合、吸着側の第１空気を冷却することによる再生限界の向上効果は得られないが、冷却効果を高めることにより除湿量及び加湿量を増大させることは可能である。
【０３６２】
また、上記各実施形態では、冷却側の第２空気を冷却する冷却器として冷媒回路の蒸発器や、冷水コイルまたはペルチェ効果素子を用いる例について説明したが、その他の任意の冷却器を用いて第２空気を冷却するようにしてもよい。
【０３６３】
さらに、吸着素子（８１，８２）を再生するための熱源としては、冷媒回路の凝縮器を用いる代わりに、ヒータ、温水熱交換器などを用いてもよい。
【０３６４】
また、上記実施形態では、２つの吸着素子を用い、再生側と吸着側を交互に切り換えるバッチ式の構成例についてのみ説明したが、他のタイプの吸着素子を用いてもよい。例えば、吸着側の通路と再生側の通路に跨って配置され、回転可能な吸着ロータを用いることができる。この場合、吸着ロータを連続的または間欠的に回転させると、水分を吸着した部分をその後に再生できるので、これを繰り返すことで連続運転を行うことができる。また、吸着ロータに冷却側通路を設けておき、冷却用流体を冷却してから供給すれば、冷却効果を高めることにより除湿量及び加湿量を増大させることも可能である。
【０３６５】
【発明の効果】
以上説明したように、請求項１，２に記載の発明によれば、調湿側通路（８５）と冷却側通路（８６）とを有する吸着素子（８１，８２）を用いた調湿装置において、冷却側通路へ流入する冷却用流体を冷却する冷却器（１０３，１０４，２１４，２２４，２５１，２５２）を設けたことにより、冷却用流体による冷却効果を高めることができる。したがって、第１空気の温度上昇を抑えて十分な除湿量及び加湿量を確保でき、装置の大型化も防止できる。特に、請求項２に記載の発明によれば、冬季の除湿時や夏期の加湿時に冷却用流体を冷却することにより、除湿量や加湿量が極端に低下するのを確実に防止できる。
【０３６６】
また、請求項３に記載の発明によれば、バッチ式の運転動作を行う調湿装置において、第２空気を冷却用流体に利用して吸着効率の低下を効果的に防止できる。
【０３６７】
また、請求項４から請求項１０に記載の発明によれば、冷媒回路の蒸発器（１０３，１０４）で冷却用流体を冷却することにより、除湿能力や加湿能力の低下を効果的に防止できる。
【０３６８】
また、請求項１１によれば、冷水コイル（２５１，２５２）で冷却用流体を冷却することにより、同様に除湿能力や加湿能力の低下を防止でき、請求項１２によれば、熱電素子（ペルチェ効果素子）（２５１，２５２）で冷却用流体を冷却することにより、除湿能力や加湿能力の低下を防止できる。
【図面の簡単な説明】
【図１】実施形態１に係る調湿装置の構成及び除湿運転中の第１動作を示す分解斜視図である。
【図２】実施形態１に係る調湿装置での除湿運転中の第２動作を示す分解斜視図である。
【図３】実施形態１に係る調湿装置での加湿運転中の第１動作を示す分解斜視図である。
【図４】実施形態１に係る調湿装置での加湿運転中の第２動作を示す分解斜視図である。
【図５】実施形態１に係る調湿装置の要部を示す概略構成図である。
【図６】実施形態１に係る調湿装置の吸着素子を示す概略斜視図である。
【図７】実施形態１に係る調湿装置の冷媒回路を示す配管系統図である。
【図８】実施形態１に係る調湿装置の運転動作を概念的に示す説明図である。
【図９】実施形態１の変形例１に係る調湿装置の運転動作を概念的に示す説明図である。
【図１０】実施形態１の変形例２に係る調湿装置の運転動作を概念的に示す説明図である。
【図１１】実施形態１の変形例３に係る調湿装置の運転動作を概念的に示す説明図である。
【図１２】実施形態１の変形例４に係る調湿装置の運転動作を概念的に示す説明図である。
【図１３】実施形態１の変形例５に係る調湿装置の運転動作を概念的に示す説明図である。
【図１４】実施形態２に係る調湿装置での除湿運転中の第１動作を示す分解斜視図である。
【図１５】実施形態２に係る調湿装置での除湿運転中の第２動作を示す分解斜視図である。
【図１６】実施形態２に係る調湿装置での加湿運転中の第１動作を示す分解斜視図である。
【図１７】実施形態２に係る調湿装置での加湿運転中の第２動作を示す分解斜視図である。
【図１８】実施形態２に係る調湿装置の運転動作を概念的に示す説明図である。
【図１９】実施形態２の変形例１に係る調湿装置の運転動作を概念的に示す説明図である。
【図２０】実施形態２の変形例２に係る調湿装置の運転動作を概念的に示す説明図である。
【図２１】実施形態３に係る調湿装置での除湿運転中の第１動作を示す分解斜視図である。
【図２２】実施形態３に係る調湿装置での除湿運転中の第２動作を示す分解斜視図である。
【図２３】実施形態３に係る調湿装置での加湿運転中の第１動作を示す分解斜視図である。
【図２４】実施形態３に係る調湿装置での加湿運転中の第２動作を示す分解斜視図である。
【図２５】実施形態３に係る調湿装置の運転動作を概念的に示す説明図である。
【図２６】実施形態３の変形例１に係る調湿装置の運転動作を概念的に示す説明図である。
【図２７】実施形態３の変形例２に係る調湿装置の運転動作を概念的に示す説明図である。
【図２８】実施形態３の変形例３に係る調湿装置の運転動作を概念的に示す説明図である。
【図２９】実施形態３の変形例４に係る調湿装置の運転動作を概念的に示す説明図である。
【図３０】実施形態３の変形例５に係る調湿装置の運転動作を概念的に示す説明図である。
【図３１】実施形態４に係る調湿装置での除湿運転中の第１動作を示す分解斜視図である。
【図３２】実施形態４に係る調湿装置での除湿運転中の第２動作を示す分解斜視図である。
【図３３】実施形態４に係る調湿装置での加湿運転中の第１動作を示す分解斜視図である。
【図３４】実施形態４に係る調湿装置での加湿運転中の第２動作を示す分解斜視図である。
【図３５】実施形態４に係る調湿装置の運転動作を概念的に示す説明図である。
【図３６】実施形態４の変形例１に係る調湿装置の運転動作を概念的に示す説明図である。
【図３７】実施形態４の変形例２に係る調湿装置の運転動作を概念的に示す説明図である。
【図３８】実施形態４の変形例３に係る調湿装置の運転動作を概念的に示す説明図である。
【図３９】実施形態４の変形例４に係る調湿装置の運転動作を概念的に示す説明図である。
【図４０】実施形態４の変形例５に係る調湿装置の運転動作を概念的に示す説明図である。
【図４１】実施形態４に係る調湿装置での除湿運転中の第１動作を示す分解斜視図である。
【図４２】実施形態４に係る調湿装置での除湿運転中の第２動作を示す分解斜視図である。
【図４３】実施形態４に係る調湿装置の運転動作を概念的に示す説明図である。
【図４４】実施形態４の変形例１に係る調湿装置の運転動作を概念的に示す説明図である。
【図４５】実施形態４の変形例２に係る調湿装置の運転動作を概念的に示す説明図である。
【図４６】実施形態６の調湿装置における冷媒回路を示す図である。
【図４７】実施形態６の調湿装置における熱交換器の配置パターンを示す表である。
【図４８】実施形態６の配置パターン▲４▼に対応する構成を示す分解斜視図である。
【図４９】実施形態６の配置パターン▲５▼に対応する構成を示す分解斜視図である。
【図５０】実施形態６の配置パターン▲６▼に対応する構成を示す分解斜視図である。
【図５１】実施形態６の配置パターン▲７▼に対応する構成を示す分解斜視図である。
【図５２】実施形態６の変形例に係る調湿装置での熱交換器の配置パターンを示す表である。
【図５３】実施形態７に係る調湿装置での除湿循環運転中の第１動作を示す分解斜視図である。
【図５４】実施形態７に係る調湿装置での除湿循環運転中の第２動作を示す分解斜視図である。
【図５５】実施形態７の変形例に係る調湿装置での加湿循環運転中の第１動作を示す分解斜視図である。
【図５６】実施形態７の変形例に係る調湿装置での加湿循環運転中の第２動作を示す分解斜視図である。
【図５７】実施形態８に係る調湿装置での除湿運転中の第１動作を示す分解斜視図である。
【図５８】（ａ）図は除湿運転時の空気の状態変化を示す空気線図、（ｂ）図は加湿運転時の空気の状態変化を示す空気線図である。
【符号の説明】
（１０）　　　ケーシング
（８１，８２）　　　吸着素子
（８５）　　　調湿側通路
（８６）　　　冷却側通路
（１００）　　　　　冷媒回路
（１０１）　　　　　圧縮機
（１０２）　　　　　再生熱交換器（凝縮器）
（１０３）　　　　　第１熱交換器（冷却器）
（１０４）　　　　　第２熱交換器（冷却器）
（１１１）　　　　　電動膨張弁（膨張機構）
（１１２）　　　　　電動膨張弁（膨張機構）
（２１０，２２０）　冷媒回路
（２１４，２２４）　蒸発器（冷却器）
（２５１，２５２）　冷水コイル（冷却器）
（２５１，２５２）　熱電素子（冷却器）
【図１】
2004060954.tif 000003
【図２】
2004060954.tif 000004
【図３】
2004060954.tif 000005
【図４】
2004060954.tif 000006
【図５】
2004060954.tif 000007
【図６】
2004060954.tif 000008
【図７】
2004060954.tif 000009
【図８】
2004060954.tif 000010
【図９】
2004060954.tif 000011
【図１０】
2004060954.tif 000012
【図１１】
2004060954.tif 000013
【図１２】
2004060954.tif 000014
【図１３】
2004060954.tif 000015
【図１４】
2004060954.tif 000016
【図１５】
2004060954.tif 000017
【図１６】
2004060954.tif 000018
【図１７】
2004060954.tif 000019
【図１８】
2004060954.tif 000020
【図１９】
2004060954.tif 000021
【図２０】
2004060954.tif 000022
【図２１】
2004060954.tif 000023
【図２２】
2004060954.tif 000024
【図２３】
2004060954.tif 000025
【図２４】
2004060954.tif 000026
【図２５】
2004060954.tif 000027
【図２６】
2004060954.tif 000028
【図２７】
2004060954.tif 000029
【図２８】
2004060954.tif 000030
【図２９】
2004060954.tif 000031
【図３０】
2004060954.tif 000032
【図３１】
2004060954.tif 000033
【図３２】
2004060954.tif 000034
【図３３】
2004060954.tif 000035
【図３４】
2004060954.tif 000036
【図３５】
2004060954.tif 000037
【図３６】
2004060954.tif 000038
【図３７】
2004060954.tif 000039
【図３８】
2004060954.tif 000040
【図３９】
2004060954.tif 000041
【図４０】
2004060954.tif 000042
【図４１】
2004060954.tif 000043
【図４２】
2004060954.tif 000044
【図４３】
2004060954.tif 000045
【図４４】
2004060954.tif 000046
【図４５】
2004060954.tif 000047
【図４６】
2004060954.tif 000048
【図４７】
2004060954.tif 000049
【図４８】
2004060954.tif 000050
【図４９】
2004060954.tif 000051
【図５０】
2004060954.tif 000052
【図５１】
2004060954.tif 000053
【図５２】
2004060954.tif 000054
【図５３】
2004060954.tif 000055
【図５４】
2004060954.tif 000056
【図５５】
2004060954.tif 000057
【図５６】
2004060954.tif 000058
【図５７】
2004060954.tif 000059
【図５８】
2004060954.tif 000060